(57)【要約】【課題】着信時等に発音される音情報をグループ分けし、グループ毎に異なるイルミネーションを対応付けることのできる報知装置および通信端末装置を提供する。【解決手段】報知装置を備えた通信端末装置は、着信時や保留時などに、発音されるメロディと、ＬＣＤのバックライトのイルミネーションとにより報知する。メロディを発音させるための曲データは曲番号５２２により管理されており、グループ分けされ、各グループがイルミネーションの発色パターンに対応付けされている。そして、グループ登録テーブル５２１により、曲番号５２２とグループを識別するグループ番号５２３とが対応付けされている。報知音を設定する際にはグループの選択を行った後、そのグループに属する曲データの選択が行われる。グループを選択することで発色パターンが特定され、また、曲データが複数であってもグループにより分別されるため、管理が容易である。【選択図】  図１２
2004214972.tif 000002
【特許請求の範囲】
【請求項１】
メロディ、ブザー等の報知音を発音する発音手段と、当該発音手段に所定の報知音を発音させるための音情報に基づいて、前記発音手段の発音の制御を行う発音制御手段と、点灯、または点滅して照明を行う発光手段とを備え、装置の各種状態を前記発音手段により所定の報知音を発音するとともに、前記発光手段により照明を行うことにより報知することが可能な報知装置であって、
少なくとも一つの前記音情報を記憶する音情報記憶手段と、
当該音情報記憶手段に記憶された前記音情報をグループに分別するために、それぞれのグループを識別するための分類情報と、前記音情報とを対応付けて記憶する分類情報記憶手段と、
前記発光手段を所定の色彩にて点灯または点滅させるための色彩情報と、前記分類情報とを対応付けて記憶する色彩情報記憶手段と、
前記音情報記憶手段に記憶された音情報の一つが選択され、前記発音制御手段による発音の制御が行われる場合に、前記分類情報記憶手段、および前記色彩情報記憶手段の記憶状況を参照し、その音情報が属する分類情報に対応付けられる色彩情報に基づいて、前記発光手段の点灯または点滅の制御を行う発光制御手段と
を備えたことを特徴とする報知装置。
【請求項２】
文字または画像の表示を行う表示手段を備え、
前記発光手段は、前記表示手段の照明を行うように構成されることを特徴とする請求項１に記載の報知装置。
【請求項３】
前記分類情報は、前記音情報記憶手段に記憶された音情報に基づいて発音される音の属するジャンルに基づくものであることを特徴とする請求項１または２に記載の報知装置。
【請求項４】
前記分類情報は、前記音情報記憶手段に記憶された音情報に基づいて発音される音を管理する管理者に基づくものであることを特徴とする請求項１または２に記載の報知装置。
【請求項５】
請求項１乃至４のいずれかに記載の報知装置を備え、
前記報知音は、発呼側の端末装置からの着信を報知する場合の着信音、通話を保留する場合の保留音、および所定の時刻を報知する場合の時刻報知音を含み、この着信音、保留音、および時刻報知音として発音させる音を前記音情報記憶手段に記憶された音情報の中から選択し、対応付けて記憶する報知音記憶手段を備えたことを特徴とする通信端末装置。
【請求項６】
前記着信音として発音させる音の音情報を、発呼側の端末装置を識別する識別番号に対応付けて前記報知音記憶手段に記憶可能とすることを特徴とする請求項５に記載の通信端末装置。
【請求項７】
前記分類情報記憶手段に記憶された分類情報の中から任意の分類情報を選択する分類情報選択手段と、
当該分類情報選択手段によって選択された分類情報に対応付けられる少なくとも一つの音情報を前記音情報記憶手段から抽出する抽出手段と、
当該抽出手段により抽出された音情報の中から、任意の音情報を選択し、前記報知音に対応付けて前記報知音記憶手段に記憶するための音情報選択手段と
を備えたことを特徴とする請求項５または６に記載の通信端末装置。
【請求項８】
前記色彩情報記憶手段に記憶された色彩情報の中から任意の色彩情報を選択する色彩情報選択手段と、
当該色彩情報選択手段によって選択された色彩情報に対応付けられる分類情報を前記分類情報記憶手段から抽出する抽出手段と、
当該抽出手段によって抽出された分類情報に対応付けられる少なくとも一つの音情報の中から、任意の音情報を選択し、前記報知音に対応付けて前記報知音記憶手段に記憶するための音情報選択手段と
を備えたことを特徴とする請求項５または６に記載の通信端末装置。
【請求項９】
前記音情報選択手段による前記音情報の選択前に、選択しようとする任意の音情報の指定を行う指定手段を備え、
当該指定手段による音情報の指定中に、前記分類情報記憶手段、および前記色彩情報記憶手段の記憶状況が参照され、指定された音情報が属する分類情報に対応付けられる色彩情報に基づいて、前記発光制御手段が、前記発光手段の点灯または点滅の制御を行うことを特徴とする請求項７または８に記載の通信端末装置。
【請求項１０】
前記分類情報記憶手段に記憶された前記音情報と前記分類情報との対応付けを任意に変更するための分類情報変更手段を備えたことを特徴とする請求項５乃至９のいずれかに記載の通信端末装置。
【請求項１１】
前記色彩情報記憶手段に記憶された前記分類情報と前記色彩情報との対応付けを任意に変更するための色彩情報変更手段を備えたことを特徴とする請求項５乃至１０のいずれかに記載の通信端末装置。
【請求項１２】
前記発光手段はＬＥＤであって、
前記色彩情報は、前記ＬＥＤの発光色および発光パターンの組み合わせを指定する情報であることを特徴とする請求項５乃至１１のいずれかに記載の通信端末装置。
【請求項１３】
通信先の端末装置から転送される新たな音情報を受信するとともに、その新たに受信した音情報を前記音情報記憶手段に記憶させる音情報受信手段を備えたことを特徴とする請求項５乃至１２のいずれかに記載の通信端末装置。
【請求項１４】
前記新たに受信した音情報に対し、前記分類情報記憶手段に記憶した分類情報の中から任意のものを指定するとともに、その新たに受信した音情報を、指定された分類情報に対応付けて前記分類情報記憶手段に記憶させる分類情報指定手段を備えたことを特徴とする請求項１３に記載の通信端末装置。
【請求項１５】
前記分類情報記憶手段に記憶された前記分類情報は、その分類情報を前記表示手段に表示させる場合に用いられる分類名を含み、
当該分類名を任意の分類名に編集するための分類名編集手段を備えたことを特徴とする請求項５乃至１４のいずれかに記載の通信端末装置。
【請求項１６】
前記分類情報を新たに設定するための分類情報設定手段を備え、
当該分類情報設定手段によって新たに設定された前記分類情報が前記分類情報記憶手段に追加可能に構成されるとともに、前記分類情報変更手段は、前記分類情報記憶手段において他の分類情報に対応付けられた前記音情報を、前記新たに設定された分類情報に対応付けるように構成されていることを特徴とする請求項１０に記載の通信端末装置。
【請求項１７】
前記分類情報記憶手段を少なくとも２つ備え、そのうちのいずれの分類情報記憶手段を使用して、前記発音制御手段、および前記発光制御手段による制御を行うかを切り換える切換手段を備えたことを特徴とする請求項５乃至１６のいずれかに記載の通信端末装置。
【請求項１８】
前記少なくとも２つの分類情報記憶手段は、前記ジャンルに基づく分類情報と、それに対応付けられる音情報とからなるジャンル別分類情報記憶手段と、前記管理者に基づく分類と、それに対応付けられる音情報とからなる管理者別分類情報記憶手段とを含むことを特徴とする請求項１７に記載の通信端末装置。
【請求項１９】
前記少なくとも２つの分類情報記憶手段に記憶される前記音情報が、前記分類情報によって分別される任意の異なるグループのそれぞれに重複可能となるように、前記音情報と前記分類情報とが対応付けられることを特徴とする請求項１７または１８に記載の通信端末装置。
【発明の詳細な説明】
【０００１】
【発明の属する技術分野】
本発明は、装置の各種状態を報知するための報知装置、およびその報知装置を備える電話機、ファクシミリ、携帯電話、ＰＨＳ等の通信端末装置に関する。
【０００２】
【従来の技術】
従来の電話機、ファクシミリ（以下、「ファックス」という。）、携帯電話、ＰＨＳ等の通信端末装置では、文字や画像を表示する表示部の照明を行うバックライトとして、ＬＥＤ等の発光素子が使用されている。表示部のイルミネーションを目的として配設されるこれらＬＥＤには、単一のＬＥＤで、例えば赤、緑、青の光の３原色の点灯を行うことのできるものがある。このようなＬＥＤで３色の発光を行う場合に発光色を混合させることで、多様な色の表現が可能であり、イルミネーションを効果的に行うことができる。
【０００３】
上記のようなＬＥＤを搭載した通信端末装置では、例えば、被呼側の端末装置から着信があった場合に、着信音を鳴らすとともに表示部のイルミネーションを行って、着信の際の表示の華やかさを演出している。また、着信音としてビープ音ばかりでなく、メロディを奏でたりすることもでき、利用者を視覚、聴覚ともに楽しませることで着信時の演出効果を図り、利用者の遊び心を満足させていた。さらに、通信回線事業者から提供されている発信者番号通知の機能を利用し、発信者毎に異なる着信音を鳴らすことで通話前に発信元を特定させ、利用者の利便性の向上が図られていた。
【０００４】
特許文献１では、着信時等に再生するメロディの音情報と、このメロディに連動させて点滅するようにＬＥＤの点滅タイミングおよび点滅色を変化させるのに必要な色情報を含む各種発光情報とを記憶しておき、着信音等のメロディ再生時に、そのメロディに連動させてＬＥＤの発光を行う提案がされている。このような通信端末装置では、発信先毎に異なる着信音を鳴らすとともに、その着信音に連動するイルミネーションを行うことができ、利用者の遊び心をさらに満足させていた。
【０００５】
【特許文献１】
特開２００２−１４１９７４号公報  （第００４３段落参照）
【０００６】
【発明が解決しようとする課題】
しかしながら、音情報と発光情報とを連動させて記憶させる以上、音情報の種類が多数となる場合、相当の記憶容量が必要となり、生産コストの低減を図る上で障害となっていた。また、利用者が、それぞれの音情報毎にそれぞれ異なる発光情報の設定を個別に行うには、その操作に手間がかかっていた。また、音情報と発光情報とを個別に対応付けて管理する場合、どの音情報に対してどの色の発光情報が対応付けられているかの把握が難しくなるという問題もあった。
【０００７】
本発明は上記課題を解決するためになされたものであり、着信時等の装置の状態を報知する場合に発音される音情報をグループ分けし、グループ毎に異なるイルミネーションを対応付けることのできる報知装置および通信端末装置を提供することを目的とする。
【０００８】
【課題を解決するための手段】
上記目的を達成するために、請求項１に係る発明の報知装置は、メロディ、ブザー等の報知音を発音する発音手段と、当該発音手段に所定の報知音を発音させるための音情報に基づいて、前記発音手段の発音の制御を行う発音制御手段と、点灯、または点滅して照明を行う発光手段とを備え、装置の各種状態を前記発音手段により所定の報知音を発音するとともに、前記発光手段により照明を行うことにより報知することが可能な報知装置であって、少なくとも一つの前記音情報を記憶する音情報記憶手段と、当該音情報記憶手段に記憶された前記音情報をグループに分別するために、それぞれのグループを識別するための分類情報と、前記音情報とを対応付けて記憶する分類情報記憶手段と、前記発光手段を所定の色彩にて点灯または点滅させるための色彩情報と、前記分類情報とを対応付けて記憶する色彩情報記憶手段と、前記音情報記憶手段に記憶された音情報の一つが選択され、前記発音制御手段による発音の制御が行われる場合に、前記分類情報記憶手段、および前記色彩情報記憶手段の記憶状況を参照し、その音情報が属する分類情報に対応付けられる色彩情報に基づいて、前記発光手段の点灯または点滅の制御を行う発光制御手段とを備えている。
【０００９】
また、請求項２に係る発明の報知装置は、請求項１に記載の発明の構成に加え、文字または画像の表示を行う表示手段を備え、前記発光手段は、前記表示手段の照明を行うように構成されている。
【００１０】
また、請求項３に係る発明の報知装置は、請求項１または２に記載の発明の構成に加え、前記分類情報は、前記音情報記憶手段に記憶された音情報に基づいて発音される音の属するジャンルに基づくものであることを特徴とする。
【００１１】
また、請求項４に係る発明の報知装置は、請求項１または２に記載の発明の構成に加え、前記分類情報は、前記音情報記憶手段に記憶された音情報に基づいて発音される音を管理する管理者に基づくものであることを特徴とする。
【００１２】
また、請求項５に係る発明の通信端末装置は、請求項１乃至４のいずれかに記載の報知装置を備え、前記報知音は、発呼側の端末装置からの着信を報知する場合の着信音、通話を保留する場合の保留音、および所定の時刻を報知する場合の時刻報知音を含み、この着信音、保留音、および時刻報知音として発音させる音を前記音情報記憶手段に記憶された音情報の中から選択し、対応付けて記憶する報知音記憶手段を備えている。
【００１３】
また、請求項６に係る発明の通信端末装置は、請求項５に記載の発明の構成に加え、前記着信音として発音させる音の音情報を、発呼側の端末装置を識別する識別番号に対応付けて前記報知音記憶手段に記憶可能とすることを特徴とする。
【００１４】
また、請求項７に係る発明の通信端末装置は、請求項５または６に記載の発明の構成に加え、前記分類情報記憶手段に記憶された分類情報の中から任意の分類情報を選択する分類情報選択手段と、当該分類情報選択手段によって選択された分類情報に対応付けられる少なくとも一つの音情報を前記音情報記憶手段から抽出する抽出手段と、当該抽出手段により抽出された音情報の中から、任意の音情報を選択し、前記報知音に対応付けて前記報知音記憶手段に記憶するための音情報選択手段とを備えている。
【００１５】
また、請求項８に係る発明の通信端末装置は、請求項５または６に記載の発明の構成に加え、前記色彩情報記憶手段に記憶された色彩情報の中から任意の色彩情報を選択する色彩情報選択手段と、当該色彩情報選択手段によって選択された色彩情報に対応付けられる分類情報を前記分類情報記憶手段から抽出する抽出手段と、当該抽出手段によって抽出された分類情報に対応付けられる少なくとも一つの音情報の中から、任意の音情報を選択し、前記報知音に対応付けて前記報知音記憶手段に記憶するための音情報選択手段とを備えている。
【００１６】
また、請求項９に係る発明の通信端末装置は、請求項７または８に記載の発明の構成に加え、前記音情報選択手段による前記音情報の選択前に、選択しようとする任意の音情報の指定を行う指定手段を備え、当該指定手段による音情報の指定中に、前記分類情報記憶手段、および前記色彩情報記憶手段の記憶状況が参照され、指定された音情報が属する分類情報に対応付けられる色彩情報に基づいて、前記発光制御手段が、前記発光手段の点灯または点滅の制御を行うことを特徴とする。
【００１７】
また、請求項１０に係る発明の通信端末装置は、請求項５乃至９のいずれかに記載の発明の構成に加え、前記分類情報記憶手段に記憶された前記音情報と前記分類情報との対応付けを任意に変更するための分類情報変更手段を備えている。
【００１８】
また、請求項１１に係る発明の通信端末装置は、請求項５乃至１０のいずれかに記載の発明の構成に加え、前記色彩情報記憶手段に記憶された前記分類情報と前記色彩情報との対応付けを任意に変更するための色彩情報変更手段を備えている。
【００１９】
また、請求項１２に係る発明の通信端末装置は、請求項５乃至１１のいずれかに記載の発明の構成に加え、前記発光手段はＬＥＤであって、前記色彩情報は、前記ＬＥＤの発光色および発光パターンの組み合わせを指定する情報であることを特徴とする。
【００２０】
また、請求項１３に係る発明の通信端末装置は、請求項５乃至１２のいずれかに記載の発明の構成に加え、通信先の端末装置から転送される新たな音情報を受信するとともに、その新たに受信した音情報を前記音情報記憶手段に記憶させる音情報受信手段を備えている。
【００２１】
また、請求項１４に係る発明の通信端末装置は、請求項１３に記載の発明の構成に加え、前記新たに受信した音情報に対し、前記分類情報記憶手段に記憶した分類情報の中から任意のものを指定するとともに、その新たに受信した音情報を、指定された分類情報に対応付けて前記分類情報記憶手段に記憶させる分類情報指定手段を備えている。
【００２２】
また、請求項１５に係る発明の通信端末装置は、請求項５乃至１４のいずれかに記載の発明の構成に加え、前記分類情報記憶手段に記憶された前記分類情報は、その分類情報を前記表示手段に表示させる場合に用いられる分類名を含み、当該分類名を任意の分類名に編集するための分類名編集手段を備えている。
【００２３】
また、請求項１６に係る発明の通信端末装置は、請求項１０に記載の発明の構成に加え、前記分類情報を新たに設定するための分類情報設定手段を備え、当該分類情報設定手段によって新たに設定された前記分類情報が前記分類情報記憶手段に追加可能に構成されるとともに、前記分類情報変更手段は、前記分類情報記憶手段において他の分類情報に対応付けられた前記音情報を、前記新たに設定された分類情報に対応付けるように構成されている。
【００２４】
また、請求項１７に係る発明の通信端末装置は、請求項５乃至１６のいずれかに記載の発明の構成に加え、前記分類情報記憶手段を少なくとも２つ備え、そのうちのいずれの分類情報記憶手段を使用して、前記発音制御手段、および前記発光制御手段による制御を行うかを切り換える切換手段を備えている。
【００２５】
また、請求項１８に係る発明の通信端末装置は、請求項１７に記載の発明の構成に加え、前記少なくとも２つの分類情報記憶手段は、前記ジャンルに基づく分類情報と、それに対応付けられる音情報とからなるジャンル別分類情報記憶手段と、前記管理者に基づく分類と、それに対応付けられる音情報とからなる管理者別分類情報記憶手段とを含むことを特徴とする。
【００２６】
また、請求項１９のに係る発明の通信端末装置は、請求項１７または１８に記載の発明の構成に加え、前記少なくとも２つの分類情報記憶手段に記憶される前記音情報が、前記分類情報によって分別される任意の異なるグループのそれぞれに重複可能となるように、前記音情報と前記分類情報とが対応付けられることを特徴とする。
【００２７】
【発明の実施の形態】
以下、本発明を具体化した通信端末装置の一実施の形態について、図面を参照して説明する。まず、図１〜図３を参照して、通信端末装置の一例であるファックス機能付き親子電話装置の全体の構成について説明する。
【００２８】
図１に示すように、本実施の形態のファックス機能付き親子電話装置は、通信回線事業者の提供する公衆通信網に電話回線１７を介して有線により接続された電話装置である。公知のファックス通信機能を有する親機１０と、その親機１０を基地局とした無線により親機と通信可能な複数台の子機３０とから構成される（図１では１台の子機３０のみを例示）。
【００２９】
親機１０は、ファックス通信機能を実現するために、送信するファックス原稿の読み取りを行う画像読み取り機能（スキャナ機能）、受信したファックスデータの印刷を行う画像形成機能（プリンタ機能）、および通信先の端末装置とアナログ方式によるファックスデータの送受信を行うための符号化・復号化機能（モデム機能）と、通信先の端末装置との通話を行うための通信機能（通話機能）とが、複合された装置である。さらに、子機３０に無線通信を行うための無線通信機能も備えており、そのためのアンテナ１６７が内蔵されている。この無線通信には電波が使用される。
【００３０】
親機１０は、略直方体形状を有し、その長手方向を左右方向とする筐体１０ａの左側面に、通信先の端末装置と通話を行うためのマイクロフォン１１ａやレシーバ１１ｂ（図４参照）などが内蔵された受話器１１を載置するためのフック１８（図４参照）が設けられ、このフック１８をスイッチとして通話状態のＯＮ・ＯＦＦの切り換えを行うようになっている。
【００３１】
親機１０の筐体１０ａの前方上面には、利用者が親機１０の操作を行うための操作パネル２０が設けられている。図２に示すように、操作パネル２０は横方向に長い略長方形状を有し、その左上方には、液晶により文字や画像等の表示を行うためのＬＣＤ（Ｌｉｑｕｉｄ  Ｃｒｙｓｔａｌ  Ｄｉｓｐｌａｙ：液晶表示装置）２１が設けられ、ＬＣＤ２１の右方や下方には、各種操作を行うための操作キー群が設けられている。さらにその右方には、発呼側の端末装置からの着信などを利用者に報知するためのスピーカ１５２が設けられている。なお、スピーカ１５２が、本発明における「発音手段」に相当し、ＬＣＤ２１が、本発明における「表示手段」に相当する。
【００３２】
操作キー群は、ＬＣＤ２１の下方に、利用者が親機１０の各種動作の設定等を行うためのメロディ設定画面等をＬＣＤ２１に表示するためのメロディキー２２と、利用者が親機１０の各種動作の設定等を行う際に、メロディ設定画面等に提示された項目の選択を行うためのカーソル等を４方向に移動させるための上下左右方向キー２４ａ，２４ｂ，２４ｃ，２４ｄからなる方向キー２４と、その方向キー２４で選択された項目を決定するための決定キー２５と、選択された項目をキャンセルするためのキャンセルキー２９とが設けられ、ＬＣＤ２１の右方に、利用者が通話を行う際に入力する電話番号や、親機１０の各種動作の設定等の入力に用いられる複数のテンキー２３と、利用者が通話中に、その通話を保留状態にするための保留キー２６となどから構成されている。また、操作パネル２０には、ＬＣＤ２１の照明を行うための複数のＬＥＤ１４２（図４参照）が設けられており、これらＬＥＤ１４２が複数色で点灯または点滅することによって、バックライトとしてＬＣＤ２１の照明やイルミネーションを行うことができるようになっている。なお、ＬＥＤ１４２が、本発明における「発光手段」に相当する。
【００３３】
子機３０は、無線通信により接続された親機１０を介して公衆通信網と接続されるようになっており、親機１０との無線通信を行うためのアンテナ２６７（図８参照）が内蔵されている。子機３０は長細く湾曲した枕状の受話装置であり、通話の際に利用者の耳および口にそれぞれあてがうためのレシーバ２６３およびマイクロフォン２６２が、子機３０の両端部分の同一面側にて内蔵されている。マイクロフォン２６２より入力された利用者の音声は、無線により親機１０に送信され、親機１０から公衆通信網を通じて通話先に伝送される。そして、通話先からの音声は、公衆通信網を通じて親機１０に伝送され、親機１０から無線により子機３０に送信され、これを受信した子機３０のレシーバ２６３によって音声として再生され、利用者に伝達されるようになっている。
【００３４】
また、マイクロフォン２６２とレシーバ２６３との間には、利用者が子機３０の操作を行うための操作パネル４０が設けられている。図３に示すように、操作パネル４０は縦方向に長い略長方形状を有し、その上方に、親機１０と同様に、液晶表示を行うためのＬＣＤ４１が設けられ、それより下方には操作キー群が設けられている。操作キー群は、親機１０と同様に、メロディキー４２、テンキー４３、上下左右方向キー４４ａ，４４ｂ，４４ｃ，４４ｄからなる方向キー４４、決定キー４５、保留キー４６およびキャンセルキー４９などから構成されている。また、ＬＣＤ４１の照明を行うために複数のＬＥＤ２４２（図８参照）が設けられており、前記同様イルミネーションを行うことができるようになっている。
【００３５】
また、テンキー４３と方向キー４４との間にオフフックキー４７およびオンフックキー４８が設けられており、子機３０では、利用者がオンフックキー４８を押した場合には、親機１０にて受話器１１がフック１８（図４参照）上に置かれた状態（オンフック状態）として、また、オフフックキー４７を押した場合には、受話器１１がフック１８より外された状態（オフフック状態）として機能する。なお、子機３０の背面側（操作パネル４０が設けられた側と反対側）には、発呼側の端末装置からの着信等を利用者に報知するためのスピーカ２５２（図８参照）が設けられている。
【００３６】
次に、図４〜図９を参照して、親機１０、子機３０およびサーバ５０の電気的構成について説明する。まず、親機１０の電気的構成について説明する。図４に示すように、親機１０では、ＣＰＵ１０１と、ＲＯＭ１０２と、ＲＡＭ１０３と、ＶＲＡＭ１０４と、ＥＥＰＲＯＭ１０５と、コーディック１１１と、入力検知部１２１と、ＣＣＤ駆動部１２６と、ＬＣＤ駆動部１３１と、キャリッジ駆動部１３６と、ＬＥＤ駆動部１４１と、モータ駆動部１４６と、スピーカ駆動部１５１と、モデム１５６と、ＮＣＵ（Ｎｅｔｗｏｒｋ  Ｃｏｎｔｒｏｌ  Ｕｎｉｔ：網制御装置）１５７と、通信路切換部１６１と、無線通信部１６６と、タイマ部１８１とがそれぞれバス１００に接続されている。
【００３７】
ＣＰＵ１０１は、親機１０の制御を司る。ＲＯＭ１０２には、ＣＰＵ１０１が実行する各種プログラムや各種設定の初期値等が記憶されている。ＲＡＭ１０３は、ＣＰＵ１０１のデータ処理時に一時的なデータの記憶を行う。ＶＲＡＭ１０４は、ファックス原稿の読み取りの際に一時的に生成されるビットマップデータや、受信したファックスデータの印刷の際に一時的に変換されるビットマップデータを記憶する。ＥＥＰＲＯＭ１０５は、後述する曲データや各種テーブル等を記憶し、親機１０の電源を切断した場合でもその記憶を保持することができる。
【００３８】
また、入力検知部１２１は、親機１０に設けられた各キーやスイッチなどの入力を検知するものであり、前述したフック１８、メロディキー２２、テンキー２３、方向キー２４、決定キー２５、保留キー２６およびキャンセルキー２９が接続されている。ＬＣＤ駆動部１３１は、ＬＣＤ２１に文字や画像等を表示させるための、いわゆるドライバであり、ＬＣＤ２１に表示するためにビットマップデータに変換された文字や画像を一時的に記憶するためのＶＲＡＭ１３１ａが設けられている。
【００３９】
次に、ＬＥＤ駆動部１４１は、ＣＰＵ１０１からの指示に基づいて複数色で発光可能なＬＥＤ１４２の発光色や発光タイミングの制御を行って、ＬＣＤ２１の照明やイルミネーションを行う。スピーカ駆動部１５１は、例えば親機１０の着信時などに、後述する曲データに基づくメロディなどを、スピーカ１５２を通じて再生するためのものである。ＣＣＤ駆動部１２６は、ＣＣＤ（Ｃｈａｒｇｅ  ＣｏｕｐｌｅｄＤｅｖｉｃｅ）１２７を駆動して、ファクス原稿を光学的に読み取ってデータ化するための駆動部である。なお、スピーカ駆動部１５１が、本発明における「発音制御手段」に相当し、ＬＥＤ駆動部１４１が、本発明における「発光制御手段」に相当する。
【００４０】
キャリッジ駆動部１３６は、キャリッジ１３７を駆動して、ＶＲＡＭ１０４にビットマップデータとして一時的に変換された印刷データを印刷するための駆動部である。そのビットマップデータの各ビットに対応して被記録媒体にドット記録が行われるように、ドット単位でのインクの吐出が行われる。
【００４１】
モータ駆動部１４６は、親機１０で利用されている複数の駆動モータ１４７を駆動させるための駆動部である。
【００４２】
モデム１５６は、ＮＣＵ１５７介して接続された通信回線事業者の提供する公衆通信網を通じ、通信先の端末装置との間でファックスデータの送受信を行うため、Ｄ／Ａ変換およびＡ／Ｄ変換を行う変復調装置である。
【００４３】
ＮＣＵ１５７は、親機１０を公衆通信網に接続するための公知の網制御装置である。ＮＣＵ１５７は、バス１００と通信路切換部１６１と公衆通信網とのそれぞれに接続されているが、オンフック状態では、ＮＣＵ１５７と通信路切換部１６１との接続が切り離された状態となっている。なお、公衆通信網がデジタル通信回線であった場合には、ＮＣＵ１５７に替えてＤＳＵ（Ｄｉｇｉｔａｌ  Ｓｅｒｖｉｃｅ  Ｕｎｉｔ）が使用される。
【００４４】
通信路切換部１６１は、ＮＣＵ１５７と、受話器１１と、モデム１５６と、無線通信部１６６とのそれぞれの相互間の接続の切り換えを行うものである。親機１０でファックス通信が行われる場合には、ＮＣＵ１５７とモデム１５６とが接続され、通話が行われる場合には、ＮＣＵ１５７と受話器１１のマイクロフォン１１ａおよびレシーバ１１ｂとが接続され、また、子機３０による通話が行われる場合には、ＮＣＵ１５７と無線通信部１６６との接続が行われるよう、通信路切換部１６１による接続先の切り換えが行われる。また、無線通信部１６６は、無線によりアナログ信号の送受信を行うための無線電波の送受信部である。この無線通信部１６６には電波の送受信を行うためのアンテナ１６７が接続されている。
【００４５】
タイマ部１８１は、クロック１８１ａの発振するパルスを基準として時刻のカウントを行うためのものであり、これにより親機１０は時計機能を有することができる。
【００４６】
次に、ＲＯＭ１０２の記憶エリアについて説明する。図５に示すように、ＲＯＭ１０２には、親機１０で実行される各種プログラムを記憶したプログラム記憶エリア１０２ａと、それらプログラムの初期設定等が記憶された初期設定記憶エリア１０２ｂと、ＬＣＤ２１に表示する画像や文字のフォントのデータなどが記憶された画面表示データ記憶エリア１０２ｃとが設けられている。
【００４７】
次に、ＲＡＭ１０３の記憶エリアについて説明する。図６に示すように、ＲＡＭ１０３には、グループ番号関連テーブル４１１を記憶するグループ番号関連テーブル記憶エリア４１０と、グループ曲数テーブル４２１を記憶するグループ曲数テーブル記憶エリア４２０と、親機１０が実行する各種プログラムの実行時に読み込んで一時的に記憶するためのワークエリア４３０とが設けられている。なお、各テーブルについては後述する。
【００４８】
次に、図７を参照して、ＥＥＰＲＯＭ１０５の記憶エリアについて説明する。図７に示すように、曲データ管理テーブル５１１を記憶した曲データ管理テーブル記憶エリア５１０と、グループ登録テーブル５２１を記憶したグループ登録テーブル記憶エリア５２０と、グループ管理テーブル５３１を記憶したグループ管理テーブル記憶エリア５３０と、バックライト発色パターンテーブル５４１を記憶したバックライト発色パターンテーブル記憶エリア５４０と、スピーカ１５２で発音されるメロディのもととなる曲データを記憶した曲データ記憶エリア５５０と、報知音設定テーブル５６１を記憶した報知音設定テーブル記憶エリア５６０と、発信者番号情報テーブル５７１を記憶した発信者番号情報テーブル記憶エリア５７０とが設けられている。なお、各テーブルについては後述する。なお、曲データが、本発明における「音情報」に相当する。なお、曲データ記憶エリア５５０が、本発明における「音情報記憶手段」に相当する。
【００４９】
次に、子機３０の電気的構成について説明する。図８に示すように、子機３０は、親機１０と同様に、バス２００に、子機３０の制御を司るＣＰＵ２０１と、ＣＰＵ２０１が実行する各種プログラムや各種設定の初期値等が記憶されたＲＯＭ２０２と、ＣＰＵ１０１のデータ処理時に一時的なデータの記憶を行うＲＡＭ２０３と、後述する曲データや各種テーブル等を記憶し、子機３０の電源を切断した場合でもその記憶を保持することが可能なＥＥＰＲＯＭ２０５と、オフフックキー４７、オンフックキー４８、メロディキー４２、テンキー４３、方向キー４４、決定キー４５、保留キー４６およびキャンセルキー４９が接続され、それら各キーの入力を検知する入力検知部２２１と、ＬＣＤ４１に文字や画像等を表示させるため、ビットマップデータに変換された文字や画像を一時的に記憶するためのＶＲＡＭ２３１ａを備えたＬＣＤ駆動部２３１と、ＬＣＤ４１の照明およびイルミネーションを行うＬＥＤ１４２の発光色や発光タイミングの制御を行うＬＥＤ駆動部２４１と、後述する曲データに基づくメロディなどを、スピーカ１５２を通じて再生するためのスピーカ駆動部２５１と、親機１０と無線電波による通信を行い、そのためのアンテナ２６７が接続された無線通信部２６６と、子機３０の時計機能として動作し、クロック２８１ａの発振するパルスを基準として時刻のカウントを行うタイマ部２８１とが接続されている。また、無線通信部２６６には、マイクロフォン２６２およびレシーバ２６３が接続されており、利用者は、親機１０を介して通信先の端末装置との通話を行うことができる。
【００５０】
次に、サーバ５０の電気的構成について説明する。サーバ５０は、親機１０に、後述する曲データを提供するためのサーバである。公衆通信網を通じて親機１０から接続され、モデムを用いたデータ通信により、曲データのダウンロードを可能とするものである。例えば、サーバ５０としてのパーソナルコンピュータにモデムを接続し、公衆通信網を通じて親機１０からの接続を待ち受けるためのプログラムをそのパーソナルコンピュータ上で実行することにより、親機１０がログオンして曲データをダウンロードすることができるサーバ５０を実現できる。
【００５１】
図９に示すように、サーバ５０は、バス３００に、サーバ５０の制御を司るＣＰＵ３０１と、ＣＰＵ３０１が実行するＢＩＯＳ等のプログラムが記憶されたＲＯＭ３０２と、ＣＰＵ３０１のデータ処理時に一時的なデータの記憶を行うＲＡＭ３０３と、サーバ５０の管理者がサーバ５０の操作の入力を行うキーボード３７１およびマウス３７２と、管理者にサーバ５０の操作画面を表示するモニタ３７３ａが接続され、画面表示処理を行うビデオカード３７３と、データの記録媒体であるＣＤ−ＲＯＭ３７７ａを挿入し、データの読み込みを行うＣＤ−ＲＯＭドライブ３７７と、データの記憶装置であるハードディスクドライブ（以下、「ＨＤＤ」という。）３０６と、親機１０との間でデータの送受信を行うため、ＮＣＵ３５６を介して公衆通信網に接続されたモデム３５５とが接続されている。
【００５２】
なお、図９にてＨＤＤ３０６の記憶エリアを概念的に示すが、ＨＤＤ３０６には、ＣＰＵ３０１がサーバ５０の動作を制御するための各種プログラム等が記憶されたＯＳ記憶エリア３０６ａ、サーバ５０が曲データ保持サーバとして機能するために、サーバ５０が実行する各種のプログラムが記憶されたプログラム記憶エリア３０６ｂ、サーバ５０が親機１０に提供する曲データが記憶された曲データ記憶エリア３０６ｃ、サーバ５０に接続を試みるクライアントの情報を記憶したユーザ情報記憶エリア３０６ｄ等が設けられている。また、ＣＤ−ＲＯＭ３７７ａには、サーバ５０が親機１０に曲データを提供するサーバとして機能するためにサーバ５０が実行する各種のプログラムが記憶されており、導入時には、そのプログラムは、ＣＤ−ＲＯＭ３７７ａからＨＤＤ３０６のプログラム記憶エリア３０６ｂに、ＣＰＵ３０１が実行可能にセットアップされて記憶されるようになっている。
【００５３】
次に、図１０〜図１６を参照して、ＥＥＰＲＯＭ１０５に記憶された各テーブルの設定例について説明する。親機１０では、通信先の端末装置からの着信を報知する場合、通話の保留を報知する場合、利用者が設定した時刻となったことを報知する場合、特定の通信先の端末装置からの着信を報知する場合などに、メロディやビープ音など、利用者が設定した任意の音データに基づく報知音を発音することができる。そして、報知音が発音された場合に、その報知音に対応する発光色および発色パターンでＬＥＤ１４２を点灯し、ＬＣＤ４１の照明やイルミネーションを行うことができる。これは、後述するメロディ設定プログラム（図２２，図２３参照）で設定される報知音を発音する前記各場面において、ＥＥＰＲＯＭ１０５の各テーブルが参照されることによって、発音される報知音に対応するバックライトは色パターンが選択され、そのパターンに基づいてＬＥＤ駆動部１４１がＬＥＤ１４２の発光を行うことにより実現される。
【００５４】
親機１０では、各曲データはいずれかのグループに属するように分類され、各グループ毎に異なるバックライト発色パターンが対応されている。ＥＥＰＲＯＭ１０５に記憶された各テーブルは、これら曲データ、グループ、およびバックライト発色パターンを相互に関連付けるためのテーブルである。なお、子機３０においても親機１０と同様の曲データ、グループ、およびバックライト発色パターン等の対応付けが行われており、親機１０と同様の各テーブルがＥＥＰＲＯＭ２０５に記憶されている。ここでは、親機１０のＥＥＰＲＯＭ１０５に記憶された各テーブルの設定例について説明し、子機３０については省略する。なお、グループ番号が、本発明における「分類情報」に相当する。
【００５５】
親機１０には、上述した曲データ、グループ、およびバックライト発色パターンのそれぞれが対応付けられ、親機１０の生産時に初期設定として登録される。この対応情報は、例えば図１０に示すような、グループとバックライトの発色と曲名の設定一覧表５００として作成され、この設定一覧表に基づいて、ＥＥＰＲＯＭ１０５の各テーブルへの各情報の記憶が行われる。本例では、７種類のグループ名５０１のいずれかに２２種類の曲名５０３が属し、各グループ名５０１に、同じく７種類のバックライト発色パターン５０２のいずれかが対応付けられた設定一覧表である。例えば、グループ名「春の歌」のバックライト発色パターンは「緑色点滅」とされ、そのグループには曲名「桜がさいた」，「花見の唄」，「ある春の日に」のそれぞれの曲データが対応付けられて設定が行われる。同様に、曲名、グループ名、およびバックライト発色パターンについても、この設定一覧表に基づく設定が行われて、親機１０が出荷される。なお、グループ名が、本発明における「分類名」に相当する。以下に、各テーブルへの記憶情報の詳細について説明する。
【００５６】
図１１に示す、曲データ管理テーブル５１１は、曲名と曲データとを対応付けるためのテーブルである。親機１０で実行される各プログラム上で利用される曲番号５１２と、曲名を文字列のデータとして記憶するための曲名文字列データ５１３と、曲データ記憶エリア５５０に記憶された２２種類の曲データのそれぞれの先頭アドレスを記憶した曲データポインタ５１４とから構成され、曲データ管理テーブル５１１には、それらが一対として対応して記憶されている。例えば、曲名「桜がさいた」には、曲番号「１」が対応付けられ、また、その曲データは、曲データ記憶エリア５５０の番地「５００００Ｈ」を先頭アドレスとする記憶エリアに記憶されている。
【００５７】
図１２に示す、グループ登録テーブル５２１は、曲データがどのグループに属するかを対応付けるためのテーブルである。曲データ管理テーブル５１１で曲名および曲データと対応付けられた曲番号５２２と、親機１０で実行される各プログラム上で利用されるようにグループ毎に対応付けられたグループ番号５２３とから構成され、グループ登録テーブル５２１には、それらが一対として対応して記憶されている。２２種類の曲データが７種類のグループのうちのいずれかに属するように、グループ番号を重複させて設定可能となっている。例えば、曲名「桜がさいた」は、曲データ管理テーブル５１１によって曲番号「１」が対応付けられ、グループ登録テーブル５２１によって曲番号「１」がグループ番号「１」に属するように対応付けられている。なお、グループ登録テーブル５２１が、本発明における「分類情報記憶手段」に相当する。
【００５８】
図１３に示す、グループ管理テーブル５３１は、グループとバックライト発色パターンとを対応付けるためのテーブルである。親機１０で実行される各プログラム上で利用されるように７種類のグループにそれぞれ割り当てられたグループ番号５３２と、各グループを識別するためのグループ名を文字列のデータとして記憶するためのグループ名文字列データ５３３と、親機１０で実行される各プログラム上で利用されるように７種類のバックライト発色パターンにそれぞれ割り当てられたバックライト発色パターン番号５３４とから構成され、グループ管理テーブル５３１には、それらが一対として対応して記憶されている。例えば、グループ名「春の歌」は、グループ番号「１」が対応付けられ、また、そのグループ番号「１」に対してバックライト発色パターン番号「１」が対応付けられている。
【００５９】
図１４に示す、バックライト発色パターンテーブル５４１は、グループ毎に異なるバックライトの発光のパターンを、バックライト発色パターン番号に基づいて特定するためのテーブルである。親機１０で実行される各プログラム上で利用されるように７種類のバックライト発色パターンにそれぞれ割り当てられたバックライト発色パターン番号５４２と、ＬＥＤ１４２の発光色および点滅パターンのデータを記憶するためのバックライト発色パターン５４３とから構成され、バックライト発色パターンテーブル５４１には、それらが一対として対応して記憶されている。例えば、バックライト発色パターン番号「１」には、バックライト発色パターンとして、ＬＥＤ１４２が緑色で０．５秒間発光し、その後０．５秒間消灯するパターンを繰り返す発色パターンが対応付けられている。なお、バックライト発色パターン番号「７」に対応付けられたバックライト発色パターンは緑色で０秒間発光とされているが、これは、ＬＥＤ１４２が緑色で継続的な点灯を行う場合の発色パターンを示す。なお、バックライト発色パターンが、本発明における「色彩情報」に相当する。なお、バックライト発色パターンテーブル５４１が、本発明における「色彩情報記憶手段」に相当するが、グループ管理テーブル５３１およびバックライト発色パターンテーブル５４１をもって「色彩情報記憶手段」としてもよい。
【００６０】
また、ＥＥＰＲＯＭ１０５には、通信先の端末装置からの着信を報知する着信音、通話の保留を報知する保留音、利用者が設定した時刻となったことを報知する時刻報知音（本例では、起床時間を報知するためのモーニングメロディを一例として説明する）のそれぞれとして、利用者が任意の音データを対応付けることができる。図１５に示す、報知音設定テーブル５６１は、着信音、保留音、およびモーニングメロディのそれぞれと、曲データとを対応付けるためのテーブルである。着信音、保留音、およびモーニングメロディの報知音５６２と、親機１０で実行される各プログラム上で利用されるように、曲データ管理テーブル５１１で曲データ毎に対応付けられた曲番号５６３とから構成され、報知音設定テーブル５６１には、それらが一対として対応して記憶されている。例えば、「着信音」には、曲番号「５」、すなわち曲データ管理テーブル５１１によるところ曲名が「すいか」という曲データが対応付けられている。なお、報知音設定テーブル５６１が、本発明における「報知音記憶手段」に相当する。
【００６１】
さらに、親機１０では、通信回線事業者の提供する発信者番号通知サービスによって、通信先の端末装置から取得した発信者番号（通信先の端末装置の電話番号）を、例えば１００件まで、ＥＥＰＲＯＭ１０５の発信者番号情報テーブル記憶エリア５７０に記憶した発信者番号情報テーブル５７１（便宜上、「電話帳」と呼ぶ。）のレコードとして記憶することができる。そして、利用者は、この電話帳に記憶された任意の発信者番号に対して任意の着信音を設定することができる。これにより、後述する着信音鳴動プログラム（図２９参照）によって、電話帳に記憶された電話番号からの着信があった場合に、その電話番号に対して設定した着信音を鳴動させることが可能となる。なお、発信者番号が、本発明における「識別番号」に相当する。
【００６２】
図１６に示す、発信者番号情報テーブル５７１（電話帳）は、上述したように、通信先の端末装置の電話番号と、曲データとを対応付けるためのテーブルである。通信先の端末装置の電話番号を示す発信者番号５７２と、その通信先の端末装置に関連する任意の情報を文字列のデータとして記憶するための発信者情報文字列データ５７３と、通信先の端末装置からの着信音を任意の着信音に設定するための曲番号５７４とから構成され、発信者番号情報テーブル５７１には、それらが一対として対応して記憶されている。例えば、電話番号「０５２−○○○−××××」には、「柴田さん」という発信者の情報が対応付けられ、この電話番号に対して曲番号「７」、すなわち曲データ管理テーブル５１１によるところ曲名が「夏休み」という曲データが対応付けられている。
【００６３】
次に、図１７〜図１９を参照して、ＬＣＤ２１の表示例について説明する。図１７は、親機１０の非操作時にＬＣＤ２１に表示される時刻表示の一例を示す図である。図１８は、メロディ設定が行われる場合にＬＣＤ２１に表示されるメロディ設定画面の一例を示す図である。図１９は、利用者が着信音の選択を行う場合にＬＣＤ２１に表示されるグループ選択画面の一例を示す図である。なお、子機３０のＬＣＤ４１においても、親機１０のＬＣＤ２１とほぼ同様の表示が行われるので、ここでは親機１０の表示例について説明し、子機３０については省略する。
【００６４】
親機１０のＬＣＤ２１は、利用者による親機１０の操作に従ってさまざまな情報を表示する。例えば、利用者が親機１０の操作をしない場合には、図１７に示すように、ＬＣＤ２１に、タイマ部１８１にてカウントされた時刻が表示される。このとき、ＬＥＤ１４２の点灯は行われず、すなわちバックライトが消灯した状態となっている。
【００６５】
図１８に示す、メロディ設定画面は、利用者がメロディキー２２を押すことによってＬＣＤ２１に表示される画面である。後述するメロディ設定プログラム（図２２，図２３参照）において、判断処理の分岐先を指示するための、いわゆるメニュー画面であり、このメロディ設定画面が表示されたときには、ＬＥＤ１４２は緑色で点灯され、すなわちＬＣＤ２１はバックライトにより緑色に照明される。後述するが、メロディ設定画面では、「着信音」，「保留音」，「モーニングメロディ」，「グループ変更」，「鳴り分け」の各メニューが選択できるようになっている。各メニューの選択は、各メニューに付された番号に対応するテンキー２３のキー（例えば、グループ変更メニューを選択する場合は「３」キー）が押されることによって行われる。
【００６６】
図１９に示す、グループ選択画面は、例えば利用者が、メロディ設定画面において、テンキー２３のうちの「１」キーを押して着信音メニューを選択し、着信音を設定する場合などに、ＬＣＤ２１に表示されるグループ選択画面の一例である。後述するメロディ設定プログラム（図２２，図２３参照）においてコールされるメロディ選択サブルーチン（図２４，図２５参照）にて、利用者がグループの選択を行うための選択画面である。このとき、ＬＣＤ２１に表示されたグループ名に対応するバックライト発色パターンが、メロディ選択サブルーチンによって選択され、ＬＥＤ１４２は、この発色パターンに基づいて点灯または点滅される。本例においてはグループ名「春の歌」が表示されており、図１０で説明した設定一覧表に基づいてＬＥＤ１４２，すなわちバックライトが緑色で点滅されるようにプログラムされている。
【００６７】
なお、画面表示が行われる場合には、ＲＯＭ１０２の画面表示データ記憶エリア１０２ｃに記憶された画面データや文字のフォントデータなどから、画面表示するデータが読み出され、ＬＣＤ駆動部１３１のＶＲＡＭ１３１ａ上でビットマップデータとして画像形成されることによって、そのＶＲＡＭ１３１ａ上で形成された画面が可視像としてＬＣＤ２１に表示される。
【００６８】
次に、図２０，図２１を参照して、ＲＡＭ１０３に記憶される各テーブルについて説明する。図２０は、ＲＡＭ１０３のグループ番号関連テーブル記憶エリア４１０に記憶されるグループ番号関連テーブル４１１の概念図である。図２１は、ＲＡＭ１０３のグループ曲数テーブル記憶エリア４２０に記憶されるグループ曲数テーブル４２１の概念図である。なお、子機３０のＲＡＭ２０３の記憶エリア上にも、親機１０のＲＡＭ１０３の記憶エリア上と同様にプログラムで処理される一時的なテーブルが作成されるので、ここでは親機１０での各テーブルの作成例について説明し、子機３０については省略する。
【００６９】
後述するメロディ設定プログラム（図２２，図２３参照）においてコールされるメロディ選択サブルーチン（図２４，図２５参照）では、ＬＣＤ２１への画面表示等の処理を行うため、一時的に、曲データとグループとの対応付けを行うためのテーブルが作成される。図２０に示すグループ番号関連テーブル４１１、および、図２１に示すグループ曲数テーブル４２１は、メロディ選択サブルーチンにて参照されるＥＥＰＲＯＭ１０５のグループ登録テーブル５２１より読み出されたグループ番号および曲番号を、プログラム上で利用するためにテーブル化したものである。
【００７０】
図２０に示す、グループ番号関連テーブル４１１は、曲データを、グループごとに振り分けて対応付けるためのテーブルである。各プログラム上で利用されるようにグループ毎に対応付けられるグループ番号４１３と、本例において２２種ある曲データの全てに対応できるように、７種あるグループ番号４１３の「１」〜「７」のそれぞれに設けられた２２個の記憶エリア（曲番号登録エリア）と、その２２個の曲番号登録エリアを特定するために、個々の記憶エリアに対応して設けられた曲番号登録エリア番号４１２とから構成され、グループ番号関連テーブル４１１には、それらそれぞれが対応付けられて記憶される。例えば、グループ番号「５」の曲番号登録エリア番号「１」，「２」，「３」には、曲番号「１４」，「１５」，「１６」がそれぞれ対応付けられる。なお、グループ番号関連テーブル４１１が作成される場合には、曲番号登録エリアの全てがゼロクリアされて空きエリアとなり、テーブル作成後、データが書き込まれず空きエリアのままの曲番号登録エリアは、メロディ選択サブルーチン（図２４，図２５参照）において処理対象とされない。
【００７１】
図２１に示す、グループ曲数テーブル４２１は、グループ番号関連テーブル４１１の作成時に平行して作成されるテーブルで、各グループに属する曲データの数をカウントするためのテーブルである。各プログラム上で利用されるようにグループ毎に対応付けられたグループ番号４１３と、グループ番号関連テーブル４１１の作成時に、各グループに曲番号が振り分けられる際に、それぞれのグループに属する曲データの数をカウントしたものとが対応付けられて記憶される。例えば、グループ番号関連テーブル４１１でグループ番号「２」には曲番号「４」，「５」，「６」，「７」が対応付けられたときに、グループ曲数テーブル４２１では、そのグループ番号「２」に属する曲番号の数、すなわち「４」が、グループ番号「２」に対応付けられて記憶される。
【００７２】
次に、親機１０、および子機３０の動作について説明する。親機１０または子機３０にて通話を行っていない場合、親機１０や子機３０は着信待ちの状態となっている。すなわち、親機１０のＮＣＵ１５７が、公衆通信網を通じて伝達される通信先の端末装置からの接続要求信号を待ち受ける状態となっている。親機１０は、その接続要求信号を受信すると、着信音を鳴らして利用者に着信の報知を行う。また、子機３０にも接続要求信号が伝達される。このとき、通信回線事業者の提供する発信者番号通知サービスによって、接続要求信号を受信したときに、同時に、通信先の端末装置の電話番号を得ることができる。前述したように、親機１０や子機３０では、任意の曲データを、この着信音や、保留音、モーニングメロディなどとして設定することが可能となっている。以下に、それら報知音の設定の手順について説明する。
【００７３】
以下、親機１０における報知音の設定手順について、図２２〜図２９のフローチャートに従って、図２，図４〜図７，図１１〜２１，図３０〜図４５を参照しながら説明する。なお、子機３０における報知音の設定手順は親機１０のものと同様であるので、ここでは説明を省略する。以下、フローチャートの各ステップを「Ｓ」と略記する。
【００７４】
親機１０では、利用者による操作が行われないとき、ＬＣＤ２１に時刻が表示されている（図１７参照）。このとき、バックライト（ＬＥＤ１４２）は消灯されている。利用者が操作パネル２０のメロディキー２２を押すと、図２２，図２３に示す、メロディ設定プログラムが実行される。このメロディ設定プログラムは、親機１０の電源投入時に実行される図示外のメインプログラムからコールされるサブルーチンとして、あるいは割り込みによって実行される。
【００７５】
図２２，図２３に示すように、メロディ設定プログラムが実行されると、ＬＣＤ２１にメロディ設定画面（図１８参照）が表示され、このとき、ＬＥＤ駆動部１４１の制御に基づきＬＥＤ１４２、すなわちバックライトが緑色に点灯される（Ｓ１０１）。利用者は、メロディ設定画面に表示された５つのメニュー、すなわち着信音を設定するための「１．着信音」メニュー、保留音を設定するための「２．保留音」メニュー、モーニングメロディを設定するための「３．モーニングメロディ」メニュー、発信者番号毎に任意の着信音を設定するための「４．鳴り分け」メニュー、および曲データの所属するグループを変更するための「５．グループ変更」メニューの中から任意のメニューを選択することが可能となる。
【００７６】
１．着信音メニューが選択された場合：  利用者が着信音の設定を行うためテンキー２３の「１」を押して着信音メニューを選択すると、入力検知部１２１によりその入力が検知され、ＣＰＵ１０１に伝達される。すると、着信音設定機能が選択されたと判断され（Ｓ１０２：ＹＥＳ）、利用者に任意のメロディを選択させるメロディ選択画面を表示させるためのメロディ選択サブルーチン（図２４，図２５参照）がコールされる（Ｓ１０３）。
【００７７】
図２４，図２５に示す、メロディ選択サブルーチンがコールされると、このサブルーチンの最初の処理で、このサブルーチンにおいて一時的に使用する曲番号とグループ番号との対応テーブルを作成するため、グループ番号関連テーブル作成サブルーチン（図２６参照）がコールされる（Ｓ１６１）。
【００７８】
図２６に示す、グループ番号関連テーブル作成サブルーチンでは、ＲＡＭ１０３上に、グループ番号関連テーブル４１１（図２０参照）、およびグループ曲数テーブル４２１（図２１参照）が作成される。まず、グループ曲数テーブル４２１の各グループ番号４２２の「１」〜「７」のそれぞれに対応する曲データの数、すなわち、グループの曲数のデータの値がゼロクリアされる（Ｓ２５１）。次に、グループ番号関連テーブル４１１のグループ番号４１３の「１」〜「７」のそれぞれに対応する曲番号登録エリアがゼロクリアされる（Ｓ２５２）。そして、Ｓ２５６〜Ｓ２６０のループ処理にて２２種ある曲データを７種のグループのいずれかに振り分ける処理を行うため、そのループ回数をカウントするための曲数カウンタがＲＡＭ１０３のワークエリア４３０に設けられ、この曲数カウンタの値として「１」が設定される（Ｓ２５３）。
【００７９】
まず、Ｓ２５６の判断処理にて、曲数カウンタの値が「２３」か否かが参照される（Ｓ２５６）。この処理が初めて行われる場合には、曲数カウンタの値は「１」であるのでＳ２５７に進み（Ｓ２５６：ＮＯ）、ＥＥＰＲＯＭ１０５に記憶されたグループ登録テーブル５２１（図１２参照）から、曲数カウンタの値と一致する曲番号５２２に対応付けられたグループ番号５２３から、グループ番号「１」が読み込まれる（Ｓ２５７）。そして、グループ番号関連テーブル４１１のグループ番号４１３が曲数カウンタの値「１」と一致するグループに対応した２２個の曲番号登録エリア（この場合、グループ番号「１」に対応する２２個の曲番号登録エリア）のうち、記憶値が「０」である空きエリアが、曲番号登録エリア番号４１２の記憶値の先頭より検査され、その空きエリアに曲番号として曲数カウンタの値「１」が記憶されることにより、テーブルへの登録が行われる（Ｓ２５８）。
【００８０】
次に、Ｓ２５７で読み出されたグループ番号「１」に一致するグループ曲数テーブル４２１のグループの曲数が「１」加算される（Ｓ２６０）。さらに、曲数カウンタの値も「１」加算され（Ｓ２６１）、Ｓ２５６の判断処理に戻る。
【００８１】
このように、１巡目のＳ２５６〜Ｓ２６１の処理では、曲数カウンタ「１」に基づいて、グループ番号が「１」の曲番号登録エリアの空きエリア（この場合は曲番号登録エリア番号が「１」の記憶エリア）に曲番号「１」が記憶され、そのグループの曲数が加算され「１」となる。２巡目には曲数カウンタが「２」となり、Ｓ２５６の判断処理ではＳ２５７に進む。そして、グループ登録テーブル５２１より曲番号「２」に対応するグループ番号が「１」であることに基づき、Ｓ２５７〜Ｓ２６１の処理が行われ、上記同様、グループ番号が「１」の曲番号登録エリアの空きエリア（この場合は曲番号登録エリア番号が「２」の記憶エリア）に曲番号「２」が記憶され、そのグループの曲数が加算されて「２」となる。
【００８２】
以降同様に、グループ番号関連テーブル４１１とグループ曲数テーブル４２１との各テーブルへの登録が行われ、２２巡目には曲数カウンタが「２２」となり、グループ登録テーブル５２１より曲番号「２２」に対応するグループ番号が「７」であることに基づき、そのグループの曲番号登録エリアが空きエリアとなっている曲番号登録エリア番号が「３」の曲番号登録エリアに「２２」が記憶され、そのグループの曲数が加算されて「３」となる。そして、Ｓ２６１の処理で曲数カウンタの値が「２３」となるので、次のＳ２５６の判断処理の判断条件が満たされることにより（Ｓ２５６：ＹＥＳ）、グループ番号関連テーブル作成サブルーチンを終了し、メロディ選択サブルーチンに戻る。
【００８３】
図２４，図２５に示す、メロディ選択サブルーチンに戻ると、まず、Ｓ１６３〜Ｓ１９２のループ処理にてＬＣＤ２１にグループ選択画面（図３２参照）を表示する際に使用されるグループ番号カウンタが、ＲＡＭ１０３のワークエリア４３０に設けられ、このグループ番号カウンタの値として「１」が設定される（Ｓ１６２）。
【００８４】
そして、グループ管理テーブル５３１（図１３参照）が参照され、グループ番号カウンタ「１」に一致するグループ番号「１」に対応したグループ名「春の歌」を表示したグループ選択画面（図３２参照）が、ＬＣＤ２１に表示される（Ｓ１６３）。さらに、グループ管理テーブル５３１より、グループ番号「１」のバックライト発色パターン番号が「１」であることに基づいて、バックライト発色パターンテーブル５４１（図１４参照）より、対応するバックライト発色パターン「緑：０．５秒、消灯：０．５秒、繰り返し」が選択される（Ｓ１６５）。この発色パターンがＬＥＤ駆動部１４１に送信されることにより、ＬＥＤ駆動部１４１に駆動されるＬＥＤ１４２、すなわちバックライトの発色（この場合、緑色の点滅）が開始される（Ｓ１６６）。
【００８５】
次に、親機１０は、利用者からのキーの入力待ち状態となる。他のキーが押された場合など、上下方向キー２４ａ，２４ｂ、決定キー２５、およびキャンセルキー２９のいずれかのキーが押されるまでは、入力待ち状態が継続される（Ｓ１７１：ＮＯ、Ｓ１８１：ＮＯ、Ｓ１９１：ＮＯ、Ｓ１９２：ＮＯ）。上下方向キー２４ａ，２４ｂの入力により、表示されているグループ名が変更され、決定キー２５が入力されると、その時点で表示されているグループ名のグループが決定され、キャンセルキー２９が入力されれば、メロディ選択メニューが終了されるようになっている。
【００８６】
上方向キー２４ａが押された場合（Ｓ１７１：ＹＥＳ）、グループ番号の降順に次のグループ名の表示を行うため、グループ番号カウンタが「１」か否かの確認が行われる（Ｓ１７２）。そして、グループ番号カウンタが「１」でなければ（Ｓ１７２：ＮＯ）、「２」〜「７」のいずれかの値となっているグループ番号カウンタは「１」減算され（Ｓ１７３）、「１」である場合には（Ｓ１７２：ＹＥＳ）、グループ番号カウンタが「７」に設定される（Ｓ１７５）。これにより、７種のグループ名をグループ番号の降順にループさせて表示することができる。そして、Ｓ１６３の処理に戻り、新たに設定されたグループ番号に対応するグループ名の表示が行われ、そのグループに対応したバックライト発色パターンにより、ＬＣＤ２１のイルミネーションが行われる。
【００８７】
下方向キー２４ｂが押された場合には（Ｓ１８１：ＹＥＳ）、グループ番号の昇順に次のグループ名の表示を行うため、グループ番号カウンタが「７」か否かの確認が行われる（Ｓ１８２）。そして、グループ番号カウンタが「７」でなければ（Ｓ１８２：ＮＯ）、「１」〜「６」のいずれかの値となっているグループ番号カウンタは「１」加算され（Ｓ１８３）、「７」である場合には（Ｓ１８２：ＹＥＳ）、グループ番号カウンタが「１」に設定される（Ｓ１７５）。これにより、７種のグループ名をグループ番号の昇順にループさせて表示することができる。そして、Ｓ１６３の処理に戻り、新たに設定されたグループ番号に対応するグループ名の表示が行われ、そのグループに対応したバックライト発色パターンにより、ＬＣＤ２１のイルミネーションが行われる。このため、利用者は、どのグループにどの色が対応しているかを確認しながらグループの選択を行うことができる。
【００８８】
図例により説明すると、グループ番号カウンタが「１」である場合のグループ名「春の歌」が表示されたグループ選択画面（図３２参照）の表示中に下方向キー２４ｂが押されると（Ｓ１８１：ＹＥＳ）、グループ番号カウンタが「１」加算され（Ｓ１８２：ＮＯ、Ｓ１８３）、図３３に例示するように、グループ番号が「２」のグループ名「夏の歌」がＬＣＤ２１に表示される（Ｓ１６３）。そして、これに対応したバックライト発色パターン番号「２」の発色パターンでバックライト（ＬＥＤ１４２）が発色され、ＬＣＤ２１に対し黄色の点滅によるイルミネーションが行われる。
【００８９】
このように、上下キー２４ａ，２４ｂでグループの選択を行ってる間、各グループに対応する発色パターンで、バックライトのイルミネーションが行われる。そして、希望するグループ名が表示された状態で決定キー２５が押されると（Ｓ１９１：ＹＥＳ）、次に、そのグループに属する曲データから任意の曲データの選択を行うため、Ｓ２０１に進む。なお、Ｓ１９１の処理で決定キーが入力されることにより表示されたグループ名に対応するグループの選択を行うＣＰＵ１０１が、本発明における「分類情報選択手段」に相当する。
【００９０】
図２５に示す、Ｓ２０１の処理では、まず、ＲＡＭ１０３のワークエリア４３０に、選択されたグループの曲数を記憶するための記憶エリアが設けられる。次に、グループ曲数テーブル４２１が参照され、グループ番号カウンタの値（本例では「２」となっている）に基づいて、その値と一致するグループ番号４２２に対応したグループの曲数が取得され、前記グループの曲数の記憶エリアに、グループ曲数値として記憶される。本例ではグループ番号「２」のグループの曲数「４」が、グループ曲数値「４」として、グループの曲数の記憶エリアに記憶される。
【００９１】
さらに、ＲＡＭ１０３のワークエリア４３０に曲番カウンタが設けられ、この曲番カウンタの値として「１」が設定される（Ｓ２０２）。この曲番カウンタは、Ｓ２０３〜Ｓ２３６のループ処理にてＬＣＤ２１に選択されたグループに属する曲データの曲名を表示し選択させるメロディ選択画面（図３２参照）で、曲名をループさせて表示する際のカウンタとして使用される。上記グループ曲数値は、曲番カウンタをループさせるための、カウンタの最大値として使用される。
【００９２】
次に、グループ番号関連テーブル４１１（図２０参照）が参照され、曲番カウンタの値「１」に相当する曲番号登録エリア番号「１」と、グループ番号カウンタの値「２」に相当するグループ番号「２」とから特定される曲番号登録エリアに記憶された曲番号「４」が読み出される（Ｓ２０３）。そして、曲データ管理テーブル５１１（図１１参照）が参照されて、読み出された曲番号「４」に対応する曲名文字列データ５１３に基づく曲名「海が大好き」を表示したメロディ選択画面（図３４参照）が、ＬＣＤ２１に表示される（Ｓ２０５）。なお、グループ番号関連テーブル４１１より曲番号登録エリア番号と、グループ番号とから特定された曲番号の読み出しを行うＣＰＵ１０１が、本発明における「抽出手段」に相当する。
【００９３】
このとき、スピーカ駆動部１５１が駆動され、曲データ管理テーブル５１１より上記曲番号「４」に対応する曲データポインタ「５０６００Ｈ」に基づき、曲データ記憶エリア５５０の５０６００番地を先頭アドレスとして記憶された曲データ（曲名「海が大好き」のメロディ）の再生が開始される（Ｓ２０６）。
【００９４】
次に、親機１０は、利用者からのキーの入力待ち状態となる。グループ選択画面（図３２参照）における動作と同様に、上下方向キー２４ａ，２４ｂ、決定キー２５、およびキャンセルキー２９のいずれかのキーが押されるまでは入力待ち状態が継続される（Ｓ２１１：ＮＯ、Ｓ２２１：ＮＯ、Ｓ２３１：ＮＯ、Ｓ２３６：ＮＯ）。上下方向キー２４ａ，２４ｂの入力により、表示されている曲名が変更され、決定キー２５が入力されると、その時点で表示されている曲名の曲データが決定され、キャンセルキー２９が入力されれば、メロディ選択メニューが終了されるようになっている。
【００９５】
上方向キー２４ａが押された場合（Ｓ２１１：ＹＥＳ）、選択されたグループに属する曲番号の降順に次の曲名の表示を行うため、曲番カウンタが「１」か否かの確認が行われる（Ｓ２１２）。そして、曲番カウンタが「１」でなければ（Ｓ２１２：ＮＯ）、「２」以上の値となっている曲番カウンタは「１」減算され（Ｓ２１３）、「１」である場合には（Ｓ２１２：ＹＥＳ）、Ｓ２０１の処理で記憶されたグループ曲数値が、曲番カウンタの値として設定される（Ｓ２１５）。これにより、選択されたグループ（本例ではグループ番号「２」に相当するグループ）に属する曲データの数（本例では４種）を最大値として、曲名を曲番号の降順にループさせて表示することができる。そして、Ｓ２０３の処理に戻り、新たに設定された曲番号に対応する曲名の表示と、その曲データの再生とが行われる。
【００９６】
下方向キー２４ｂが押された場合には（Ｓ２２１：ＹＥＳ）、選択されたグループに属する曲番号の昇順に次の曲名の表示を行うため、曲番カウンタがグループ曲数値と同値か否かの確認が行われる（Ｓ２２２）。そして、グループ番号カウンタがグループ曲数値と同値でなければ（Ｓ２２２：ＮＯ）、「１」〜グループ曲数値のいずれかの値となっている曲番カウンタは「１」加算され（Ｓ２２３）、グループ曲数値と同値である場合には（Ｓ２２２：ＹＥＳ）、曲番カウンタが「１」に設定される（Ｓ２２５）。これにより、選択されたグループに属する曲データの数を最大値として、曲名を曲番号の昇順にループさせて表示することができる。そして、Ｓ２０３の処理に戻り、新たに設定された曲番号に対応する曲名の表示と、その曲データの再生とが行われる。なお、上記上方向キー２４ａまたは下方向キー２４ｂの入力に基づいて、曲名を切り換え、Ｓ２０３の処理にてＬＣＤ２１にその表示を行うＣＰＵ１０１が、本発明における「指定手段」に相当する。
【００９７】
図例により説明すると、グループ番号カウンタ「２」、曲番カウンタが「１」である場合の曲名「海が大好き」が表示されたメロディ選択画面（図３４参照）の表示中に下方向キー２４ｂが押されると（Ｓ２２１：ＹＥＳ）、曲番カウンタが「１」加算され（Ｓ２２２：ＮＯ、Ｓ２２３）、グループ番号関連テーブル４１１（図２０参照）より、グループ番号カウンタ「２」、曲番カウンタ「２」に基づく曲番号登録エリアに記憶された曲番号「５」が読み出され、図３５に例示するように、曲番号「５」に対応した曲名「すいか」がＬＣＤ２１に表示される（Ｓ２０５）。そして、曲番号「５」の曲データに基づくメロディが再生される（Ｓ２０６）。なお、メロディ選択画面が表示されている間、バックライトは選択されたグループに対応する色彩パターンでイルミネーションを行う。このため、利用者は、指定したメロディを選択した場合に、どのような色彩パターンでバックライトのイルミネーションが行われるかを確認しながら、メロディの選択を行うことができる。
【００９８】
このように、上下キー２４ａ，２４ｂで曲データの選択を行ってる間、表示された曲名に対応する曲データの再生が行われる。そして、希望する曲名が表示された状態で決定キー２５が押されると（Ｓ２３１：ＹＥＳ）、その表示された曲名に対応する曲データの選択が行われたとして、再度、グループ番号関連テーブル４１１（図２０参照）が参照され、曲番カウンタの値に相当する曲番号登録エリア番号４１２と、グループ番号カウンタの値に相当するグループ番号４１３とから特定される曲番号登録エリアに記憶された曲番号が読み出され、その値が、メロディ選択サブルーチンからメロディ設定プログラムへの返り値として設定される（Ｓ２３２）。そして、スピーカ駆動部１５１の駆動が停止されることにより曲データ（本例では曲名「すいか」に基づくメロディが再生されている）の再生が停止され（Ｓ２３８）、メロディ設定プログラムに戻る。なお、決定キー２５の入力に基づいて、ＬＣＤ２１に表示された曲名に対応する曲データの選択を行うＣＰＵ１０１が、本発明における「音情報選択手段」に相当する。
【００９９】
なお、グループ選択画面の表示中やメロディ選択画面の表示中にキャンセルキー２９が押された場合（Ｓ１９２：ＹＥＳ、または、Ｓ２３７：ＹＥＳ）、メロディ選択サブルーチンからメロディ設定プログラムへの返り値とする曲番号として、曲データの変更が行われなかったことを示す「０」が設定され（Ｓ１９３、または、Ｓ２３７）、スピーカ１５２からの曲データの再生の停止後に（Ｓ２３８）、メロディ設定プログラムに戻る。
【０１００】
図２２に示す、メロディ設定プログラムでは、Ｓ１０３のメロディ選択サブルーチンから処理が戻ると、返り値として設定された曲番号が「０」か否かの確認が行われる（Ｓ１０５）。そして、曲番号が「０」であれば（Ｓ１０５：ＹＥＳ）、着信音の設定がキャンセルされたものとして、ＬＥＤ駆動部１４１の制御によりＬＥＤ１４２、すなわちバックライトが消灯される（Ｓ１３８）。親機１０では設定の変更が行われることなく、メロディ設定プログラムが終了される。
【０１０１】
メロディ選択サブルーチンからの返り値として設定された曲番号が「０」でなかった場合（Ｓ１０５：ＮＯ）、選択された曲データを着信音として設定するため、報知音設定テーブル５６１の報知音５６２における「着信音」と対応付けられた曲番号５６３の記憶エリアに、メロディ選択サブルーチンからの返り値が記憶されることによって（Ｓ１０６）、着信音が登録される。
【０１０２】
次いで、図３６に例示するように、ＬＥＤ駆動部１４１の制御によりバックライト（ＬＥＤ１４２）が緑色に点灯されるとともに（Ｓ１０７）、ＬＣＤ２１に「メロディ設定しました」と表示され（Ｓ１０８）、着信音の登録が完了したことが利用者に伝えられる。そして、バックライト（ＬＥＤ１４２）が消灯され（Ｓ１３８）、メロディ設定プログラムが終了される。ＬＣＤ２１には、メロディキー２２が押される前と同様に、時刻が表示される（図３７参照）。
【０１０３】
２．保留音メニューが選択された場合：  図２２に示すように、メロディ設定画面（図１８参照）が表示された状態で、利用者が保留音の設定を行うため、前記同様に、テンキー２３の「２」を押して保留音メニューを選択することで、ＣＰＵ１０１は、保留音設定機能が選択されたと判断し（Ｓ１１５：ＹＥＳ）、メロディ選択サブルーチン（図２４，図２５参照）をコールする（Ｓ１１６）。そして、前述と同様の手順にて、保留音の登録が行われる（Ｓ１１６〜Ｓ１２１，Ｓ１３８）。
【０１０４】
３．モーニングメロディメニューが選択された場合：  メロディ設定画面（図１８参照）が表示された状態で、利用者がモーニングメロディの設定を行うため、前記同様に、テンキー２３の「３」を押してモーニングメロディメニューを選択することで、ＣＰＵ１０１は、モーニングメロディ設定機能が選択されたと判断し（Ｓ１２５：ＹＥＳ）、まず、モーニングメロディを鳴動させる時刻の設定を行う。ＬＣＤ２１には図示外の鳴動時刻設定画面が表示される。この鳴動時刻設定画面では、方向キー２４や決定キー２５、キャンセルキー２９などのキーからの入力に基づいてモーニングメロディを鳴動させる時刻のセットが行われる（Ｓ１２６）。そして、鳴動時刻の設定が完了すると、メロディ選択サブルーチン（図２４，図２５参照）がコールされる（Ｓ１２７）。そして、前記同様に、モーニングメロディの登録が行われる（Ｓ１２７〜Ｓ１３２，Ｓ１３８）。
【０１０５】
４．鳴り分けニューが選択された場合：  メロディ設定画面（図１８参照）が表示された状態で、利用者が鳴り分けの設定を行うため、前記同様に、テンキー２３の「４」を押して鳴り分けメニューを選択することで、ＣＰＵ１０１は、鳴り分け設定機能が選択されたと判断する（Ｓ１３５：ＹＥＳ）。そして、ＬＣＤ２１には鳴り分けの設定を行う発信者番号を選択するための発信者番号選択画面（図示外）が表示される。
【０１０６】
この発信者番号選択画面には、図１６に示す、発信者番号情報テーブル５７１（電話帳）から抽出した発信者情報文字列データ５７３に基づく文字列の表示と、その表示された発信者情報に対応付けられた発信者番号５７２とが一対に表示され、メロディ選択画面と同様に、上下方向キー２４ａ，２４ｂの入力によって、テーブルに登録されている発信者番号５７２の順に発信者番号選択画面の表示が切り換えられる。そして、決定キー２５、キャンセルキー２９などのキーからの入力に基づいて、鳴り分けを行う発信者番号が電話帳より選択されると（Ｓ１５１）、メロディ選択サブルーチン（図２４，図２５参照）がコールされる（Ｓ１５２）。そして、同様の処理により選択された発信者番号からの着信を鳴り分けする着信音の登録が行われる（Ｓ１５２〜Ｓ１５８）。
【０１０７】
５．グループ変更メニューが選択された場合：  利用者がグループの変更を行うためテンキー２３の「５」を押してグループ変更メニューを選択すると、入力検知部１２１によりその入力が検知され、ＣＰＵ１０１に伝達される。すると、グループ変更機能が選択されたと判断され（Ｓ１３６：ＹＥＳ）、曲データの属するグループの変更を行うためのグループ変更サブルーチン（図２７，図２８参照）がコールされる（Ｓ１３７）。
【０１０８】
図２７，図２８に示す、グループ変更サブルーチンでは、メロディ選択サブルーチンとは異なり、曲データの選択後に所属するグループの選択が行われる。なお、本例では、図１０に示す、グループとバックライトの発色と曲名の設定一覧表５００において、グループ名「夏の歌」に属する曲名「すいか」を、図３０に例示する設定一覧表５００のように、グループ名「童謡」に変更した場合を例として説明する。
【０１０９】
グループ変更サブルーチンがコールされると、まず、ＲＡＭ１０３のワークエリア４３０に曲番カウンタが設けられ、この曲番カウンタの値として「１」が設定される（Ｓ２７１）。この曲番カウンタは、Ｓ２７１〜Ｓ２９２のループ処理にてＬＣＤ２１に曲データの曲名を表示し選択させるメロディ選択画面（図３８参照）で、曲名をループさせて表示する際のカウンタとして使用される。
【０１１０】
次に、曲データ管理テーブル５１１（図１１参照）が参照され、曲番カウンタの値「１」に相当する曲番号「１」に対応する曲名文字列データ５１３に基づく曲名「桜がさいた」を表示したメロディ選択画面（図３８参照）が、ＬＣＤ２１に表示される（Ｓ２７１）。
【０１１１】
次に、親機１０は、利用者からのキーの入力待ち状態となる。前述と同様に、上下方向キー２４ａ，２４ｂ、決定キー２５、およびキャンセルキー２９のいずれかのキーが押されるまでは入力待ち状態が継続される（Ｓ２７５：ＮＯ、Ｓ２８１：ＮＯ、Ｓ２９１：ＮＯ、Ｓ２９２：ＮＯ）。上下方向キー２４ａ，２４ｂの入力により、表示されている曲名が変更され、決定キー２５が入力されると、その時点で表示されている曲名の曲データが決定され、キャンセルキー２９が入力されれば、グループ変更メニューが終了されるようになっている。
【０１１２】
上方向キー２４ａが押された場合（Ｓ２７５：ＹＥＳ）、曲番号の降順に次の曲名の表示を行うため、曲番カウンタが「１」か否かの確認が行われる（Ｓ２７６）。そして、曲番カウンタが「１」でなければ（Ｓ２７６：ＮＯ）、「２」〜「２２」のいずれかの値となっている曲番カウンタは「１」減算され（Ｓ２７７）、「１」である場合には（Ｓ２７６：ＹＥＳ）、２２種の曲データの最大数「２２」が、曲番カウンタの値として設定される（Ｓ２７８）。これにより、曲名を曲番号の降順にループさせて表示することができる。そして、Ｓ２７１の処理に戻り、新たに設定された曲番号に対応する曲名の表示が行われる。
【０１１３】
下方向キー２４ｂが押された場合には（Ｓ２８１：ＹＥＳ）、曲番号の昇順に次の曲名の表示を行うため、曲番カウンタが２２種の曲データの最大数「２２」であるか否かの確認が行われる（Ｓ２８２）。そして、曲番カウンタが「２２」でなければ（Ｓ２８２：ＮＯ）、「１」〜「２１」のいずれかの値となっている曲番カウンタは「１」加算され（Ｓ２８３）、「２２」である場合には（Ｓ２８２：ＹＥＳ）、曲番カウンタが「１」に設定される（Ｓ２８５）。これにより、曲名を曲番号の昇順にループさせて表示することができる。そして、Ｓ２７１の処理に戻り、新たに設定された曲番号に対応する曲名の表示が行われる。
【０１１４】
図例により説明すると、曲番カウンタが「１」である場合の曲名「桜がさいた」が表示されたメロディ選択画面（図３８参照）の表示中に下方向キー２４ｂが押されると（Ｓ２８１：ＹＥＳ）、曲番カウンタが「１」加算され（Ｓ２８２：ＮＯ、Ｓ２８３）、曲データ管理テーブル５１１（図１１参照）より、曲番カウンタ「２」に対応する曲名文字列データ５１３が読み出され、図３９に例示するように、曲名「花見の唄」としてＬＣＤ２１に表示される（Ｓ２７１）。さらに、下方向キー２４ｂが３回押されることで、曲番カウンタが「５」となり、目的とする曲名「すいか」が、メロディ選択画面に表示される（図４０参照）。なお、メロディ選択画面が表示されている間、バックライトは緑色に点灯された状態となっている。また、画面に表示された曲名に対応する曲データの再生は行われないが、前述と同様に、曲データの再生を行う仕様としてもよい。
【０１１５】
このように、上下キー２４ａ，２４ｂで曲データの選択を行い、希望する曲名が表示された状態で決定キー２５が押されると（Ｓ２９１：ＹＥＳ）、その表示された曲名に対応する曲データの選択が行われたとして、図２８に示す、Ｓ３０１の処理に進む。また、キャンセルキー２９が押された場合には（Ｓ２９２：ＹＥＳ）、グループ変更が行われなかったとしてメロディ設定プログラム（図２２，図２３参照）に戻り、バックライト（ＬＥＤ１４２）が消灯され（Ｓ１３８）、メロディ設定プログラムが終了される。ＬＣＤ２１には、メロディキー２２が押される前と同様に、時刻が表示される（図４５参照）。
【０１１６】
図２８に示す、Ｓ３０１の処理では、ＲＡＭ１０３のワークエリア４３０にグループ番号カウンタが設けられ、このグループ番号カウンタの値として「１」が設定される（Ｓ３０１）。このグループ番号カウンタは、Ｓ３０２〜Ｓ３３２のループ処理にてＬＣＤ２１にグループのグループ名を表示し選択させるグループ選択画面（図４１参照）で、グループ名をループさせて表示する際のカウンタとして使用される。
【０１１７】
次に、グループ管理テーブル５３１（図１３参照）が参照され、グループ番号カウンタ「１」に一致するグループ番号「１」に対応したグループ名「春の歌」を表示したグループ選択画面（図４１参照）が、ＬＣＤ２１に表示される（Ｓ３０２）。さらに、グループ管理テーブル５３１より、グループ番号「１」のバックライト発色パターン番号が「１」であることに基づいて、バックライト発色パターンテーブル５４１（図１４参照）より、対応するバックライト発色パターン「緑：０．５秒、消灯：０．５秒、繰り返し」が選択される（Ｓ３０３）。この発色パターンがＬＥＤ駆動部１４１に送信されることにより、ＬＥＤ駆動部１４１に駆動されるＬＥＤ１４２、すなわちバックライトの発色（この場合、緑色の点滅）が開始される（Ｓ３０５）。
【０１１８】
次に、親機１０は、利用者からのキーの入力待ち状態となる。前述と同様に、上下方向キー２４ａ，２４ｂ、決定キー２５、およびキャンセルキー２９のいずれかのキーが押されるまでは入力待ち状態が継続される（Ｓ３１１：ＮＯ、Ｓ３２１：ＮＯ、Ｓ３３１：ＮＯ、Ｓ３３２：ＮＯ）。上下方向キー２４ａ，２４ｂの入力により、表示されているグループ名が変更され、決定キー２５が入力されると、その時点で表示されているグループ名のグループが決定され、キャンセルキー２９が入力されれば、グループ変更メニューが終了されるようになっている。
【０１１９】
上方向キー２４ａが押された場合（Ｓ３１１：ＹＥＳ）、図２４におけるＳ１７２〜Ｓ１７５の処理と同様に、Ｓ３１２〜Ｓ３１５の処理にて、グループ選択画面に、グループ番号の降順に各グループ名がループされて表示される。また、下方向キー２４ｂが押された場合には（Ｓ３２１：ＹＥＳ）、図２４におけるＳ１８２〜Ｓ１８５の処理と同様に、Ｓ３２２〜Ｓ３２５の処理にて、グループ選択画面に、グループ番号の昇順に各グループ名がループされて表示される。いずれの場合も、それら処理の終了後にＳ３０２の処理に戻り、新たに設定されたグループ番号に対応するグループ名の表示が行われ、そのグループに対応したバックライト発色パターンにより、ＬＣＤ２１のイルミネーションが行われる。
【０１２０】
図例により説明すると、グループ番号カウンタが「１」である場合のグループ名「春の歌」が表示されたグループ選択画面（図４１参照）の表示中に下方向キー２４ｂが押されると（Ｓ３２１：ＹＥＳ）、グループ番号カウンタが「１」加算され（Ｓ３２２：ＮＯ、Ｓ３２３）、図４２に例示するように、グループ番号が「２」のグループ名「夏の歌」がＬＣＤ２１に表示される（Ｓ３０２）。そして、これに対応したバックライト発色パターン番号「２」の発色パターンでバックライト（ＬＥＤ１４２）が発色され、ＬＣＤ２１に対し黄色の点滅によるイルミネーションが行われる。さらに、下方向キー２４ｂが４回押されることで、グループ番号カウンタが「６」となり、目的とするグループ名「童謡」が、グループ選択画面に表示される（図４３参照）。このとき、これに対応したバックライト発色パターン番号「６」の発色パターン「赤：０．５秒、黄：０．５秒、繰り返し」によりバックライト（ＬＥＤ１４２）が発色され、ＬＣＤ２１に対し赤と黄の交互点灯によるイルミネーションが行われる。
【０１２１】
そして、希望するグループ名が表示された状態で決定キー２５が押されると（Ｓ３３１：ＹＥＳ）、グループ登録テーブル５２１（図１２参照）において、曲番カウンタの値と一致する曲番号５２２に対応付けられたグループ番号５２３の記憶エリアに、グループ番号カウンタの値が上書きされて記憶される（Ｓ３３５）。本例の場合、図３１に例示するように、グループ登録テーブル５２１の曲番号「５」に対応するグループ番号が、グループ番号カウンタの値「６」に上書きされることにより、グループ登録テーブル５２１が更新される。なお、曲番カウンタの値と一致する曲番号５２２に対応付けられたグループ番号５２３の記憶エリアに、グループ番号カウンタの値を上書き記憶させるＳ３３５の処理を行うＣＰＵ１０１が、本発明における「分類情報変更手段」に相当する。
【０１２２】
次いで、図４４に例示するように、ＬＥＤ駆動部１４１の制御によりバックライト（ＬＥＤ１４２）が緑色に点灯されるとともに（Ｓ３３６）、ＬＣＤ２１に「グループ変更設定しました」と表示され（Ｓ３３７）、グループの変更が完了したことが利用者に伝えられる。そして、図２２に示す、メロディ設定プログラムに戻り、バックライト（ＬＥＤ１４２）が消灯され（Ｓ１３８）、メロディ設定プログラムが終了される。ＬＣＤ２１には、メロディキー２２が押される前と同様に、時刻が表示される（図４５参照）。なお、図２８のグループ変更メニューのＳ３３２の判断処理で、キャンセルキー２９が押された場合（Ｓ３３２：ＹＥＳ）、グループ変更メニューが終了され、バックライト（ＬＥＤ１４２）が消灯されて（Ｓ１３８）、メロディ設定プログラムが終了される。
【０１２３】
次に、図２９のフローチャートを参照して、親機１０の待ち受け時に通信先の端末装置より着信があった場合に、バックライトの発色パターンが選択される動作について説明する。親機１０では、待ち受け時に通信先の端末装置から着信があった場合、図２９に示す、着信音鳴動サブルーチンがコールされる。
【０１２４】
ＮＣＵ１５７を介して通信先の端末装置からの着信が検知されると、着信音鳴動サブルーチンがコールされる。まず、発信者番号通知サービスに基づく発信者番号の通知が行われたか否かが確認が行われ（Ｓ３５１）、発信者番号の通知がなかった場合には（Ｓ３５１：ＮＯ）、通常の着信音にて報知が行われるため、報知音設定テーブル５６１（図１５参照）が参照され、着信音として設定された曲番号５６３が読み出される（Ｓ３５３）。
【０１２５】
一方、発信者番号の通知があった場合には（Ｓ３５１：ＹＥＳ）、発信者番号情報テーブル５７１（図１６参照）が参照され、通知された発信者番号が、発信者番号５７２に登録済みか否かの確認が行われる（Ｓ３５２）。通知された発信者番号が発信者番号情報テーブル５７１に登録されていなければ（Ｓ３５２：ＮＯ）、上記同様に通常の着信音にて報知が行われるため、Ｓ３５３の処理にて報知音設定テーブル５６１より着信音として設定された曲番号５６３が読み出される。また、通知された発信者番号が発信者番号情報テーブル５７１に登録されていた場合には（Ｓ３５２：ＹＥＳ）、鳴り分けされた着信音による報知行われるため、その発信者番号５７２に対応付けられた曲番号５７４が読み出される（Ｓ３５５）。例えば、発信者番号として「０５２−○○○−□□□□」が通知された場合には、曲番号「２１」が読み出される。
【０１２６】
次に、グループ登録テーブル５２１（図１２参照）が参照され、曲番号５２２に対応するグループ番号５２３が読み出される（Ｓ３６１）。そして、グループ管理テーブル５３１（図１３参照）から、記憶されたグループ番号５３２に対応するバックライト発色パターン番号５３４が読み出され、さらに、バックライト発色パターンテーブル５４１（図１４参照）において、このバックライト発色パターン番号５４２に対応するバックライト発色パターン５４３が選択される（Ｓ３６２）。この発色パターンがＬＥＤ駆動部１４１に送信されることにより、ＬＥＤ駆動部１４１に駆動されるＬＥＤ１４２、すなわちバックライトの発色（この場合、緑色の点滅）が開始される（Ｓ３６３）。
【０１２７】
また、曲データ管理テーブル５１１（図１１参照）より、曲番号５１２に対応付けられた曲データポインタ５１４に基づいて、曲データ記憶エリア５５０より曲データが読み出され、スピーカ駆動部１５１の制御によりスピーカ１５２からメロディの再生が行われる。これにより、親機１０では、通信先の端末装置からの受信の報知が行われる。
【０１２８】
このように、親機１０および子機３０では、着信時の発信者番号通知サービスを利用して、発信者番号毎に異なる曲データに基づくメロディを着信時に鳴らすことができ、また、その曲データの属するグループに対応付けられた発色パターンに基づくバックライトの発色を行うことができる。
【０１２９】
さらに、親機１０では、任意の曲データをダウンロードして追加することができ、利用者の好みの曲データに基づくメロディを鳴らすことができる。以下に、図４６，図４７を参照して、公衆通信網を介してダウンロード先のサーバ５０に接続し、曲データのダウンロードを行う場合の例について説明する。図４６は、親機１０が曲データのダウンロードを行うためのプログラムのフローチャートである。図４７は、サーバ５０が、親機１０からの接続を待ち受けて、接続時に曲データのダウンロードを行わせるプログラムのフローチャートである。
【０１３０】
図４７に示すように、ＮＣＵ３５６を介して公衆通信網に接続されたサーバ５０では、複数あるクライアントの１つである親機１０からの接続の待ち受けが開始されると、その待ち受け開始処理にて、モデム３５５が着信を検知すると通信回線を接続するように、モデム３５５に対してコマンドが発せられる（Ｓ３８１）。そして、親機１０からの接続を待ち受ける（Ｓ３８２：ＮＯ）。
【０１３１】
図４６に示すように、親機１０では、曲データのダウンロードを行うために、公衆通信網を介してサーバ５０に接続する。これは、モデム１５６に対してコマンドが発せられ、このコマンドに基づき、あらかじめ知られたサーバ５０の電話番号がモデム１５６によりダイアルされることで、親機１０からサーバ５０への接続要求信号が発せられる。そして、親機１０とサーバ５０との間でモデム同士のネゴシエーションが成立して相互の接続が確立すると、親機１０は、あらかじめ登録されたユーザＩＤやパスワードなどを発することで、サーバ５０へのログオンを試みる（Ｓ３６１）。
【０１３２】
サーバ５０では、図４７に示すように、親機１０からのログオン要請を受け（Ｓ３８２：ＹＥＳ）、接続要求を発した親機１０の正当性を確認するため認証を行う（Ｓ３８３）。具体的には、親機１０から受信したユーザＩＤがユーザ情報記憶エリア３０６ｄに記憶されているか否かが確認され、一致するユーザＩＤがなければログオンが拒否される（Ｓ３８５：ＮＯ）。また、ユーザＩＤが正当なものであればパスワードの要求が行われ、親機１０からパスワードが送信されると、受信したパスワードが正しいか否か、ユーザ情報記憶エリア３０６ｄの記憶内容が参照されて確認が行われる。そして、パスワードが不一致であれば、親機１０のログオンは拒否される（Ｓ３８５：ＮＯ）。
【０１３３】
親機１０から送信されたパスワードが、ユーザ情報記憶エリア３０６ｄの記憶内容と一致した場合には（Ｓ３８５：ＹＥＳ）、親機１０に対して、曲データ記憶エリア３０６ｃに記憶した曲データの情報（例えば、各曲データの曲名の文字列のデータ、およびその識別番号としての曲データ番号）が送信される（Ｓ３８６）。そして、親機１０と接続したまま、親機１０からの返信の待ち受けが行われる。具体的には、親機１０がダウンロードを行う曲データの番号を親機１０から受信するか、あるいは、親機１０がサーバ５０との接続を解除してログオフするか、いずれかの動作が行われるまで待機される（Ｓ３８７：ＮＯ、Ｓ３８８：ＮＯ）。
【０１３４】
一方、親機１０では、図４６に示すように、サーバ５０への認証に失敗すると（Ｓ３６２：ＮＯ）、サーバ５０との接続を解除してログオフするための所定の通信手順がモデム１５６によって行われる（Ｓ３７１）。サーバ５０への認証が成功してサーバ５０にログオンすると（Ｓ３６２：ＹＥＳ）、サーバ５０から、曲名の文字列データとそのそれぞれに対応した曲データ番号とを含む曲データ情報が送信される（Ｓ３６３）。そして、受信した曲データ情報はＲＡＭ１０３のワークエリア４３０に記憶され、ＬＣＤ駆動部１３１の制御に基づき、ＬＣＤ２１への曲データ情報の表示が行われる（Ｓ３６５）。画面の表示は、前述したメロディ選択画面の場合とほぼ同様な表示画面によって行われ、受信した曲データ情報に基づき表示されたサーバ５０の有する曲データの曲名から、任意の曲名の選択が行われる（Ｓ３６６）。
【０１３５】
その曲名選択画面で、利用者がキャンセルキー２９を押した場合には（Ｓ３６７：ＹＥＳ）、Ｓ３７１の処理が行われ、親機１０はサーバ５０との接続を解除してログオフする（Ｓ３７１）。キャンセルが行われない場合には（Ｓ３６７：ＮＯ）、選択された曲名に対応付けられた曲データ番号をサーバ５０に送信して（Ｓ３６８）、この曲データ番号をもとにサーバ５０から送信される曲データの受信を待ち受ける。なお、曲データ番号を送信する際には、曲データのダウンロード先の指定が行われる。曲データは既存の曲データに上書きして保存されるため、上記曲名選択画面に続き、上書きする曲データの曲名選択画面が表示される。この上書きする曲データの曲名選択画面は、前述したメロディ選択画面と同様であり、この選択画面により選択された曲データの曲データポインタが曲データ管理テーブル５１１（図１１参照）より特定され、その曲データポインタの示す曲データ記憶エリア５５０の記憶エリアの先頭アドレスが、曲データのダウンロード先の先頭アドレスとしてセットされる。さらに、選択した曲データの曲名が、曲データ管理テーブル５１１にて、上書き対象となった曲データの曲名文字列データ５１３に上書きされる。
【０１３６】
図４７に示すように、サーバ５０は、親機１０で選択された曲名に対応する曲データ番号を受信すると（Ｓ３８８：ＹＥＳ）、その曲データ番号に対応した曲データを曲データ記憶エリア３０６ｃより抽出し、親機１０に対して送信する（Ｓ３９０）。そして、曲データの送信が完了すると、親機１０からのログオフの手順に従って親機１０との接続が解除される。そして、サーバ５０では、他のクライアントからの接続を待ち受けを行うため、所定の手順による通信終了処理に従いモデム３５５がリセットされ（Ｓ３９１）、Ｓ３８１に戻り、待ち受け開始処理が行われる。
【０１３７】
そして、親機１０では、サーバ５０から送信される曲データが、ＥＥＰＲＯＭ１０５の曲データ記憶エリア５５０の前記曲データポインタでその先頭アドレスが示された記憶エリアに記憶され、曲データのダウンロードが行われる（Ｓ３７０）。そして、ダウンロードが終了すると、所定の手順に従ってモデム同士の接続を解除し、サーバ５０からログオフする（Ｓ３７１）。なお、曲データをダウンロードするＳ３７０の処理を行うＣＰＵ１０１が、本発明における「音情報受信手段」に相当する。
【０１３８】
なお、ダウンロードされた曲データは、その所属するグループや色彩パターンが、上書き前の曲データの情報のままであるので、必要によって利用者が、前述したグループ変更メニュー等を実行することで曲データの管理を行うことができる。なお、ダウンロードした曲データに対し、グループ変更メニューを実行して、ダウンロードした曲データと選択したグループとを対応付けて、グループ登録テーブル５２１に上書き記憶させるＳ３３５の処理を行うＣＰＵ１０１が、本発明における「分類情報指定手段」に相当する。
【０１３９】
以上説明したように、本実施の形態の通信端末装置では、通信先の端末装置からの着信を報知する着信音、通話の保留を報知する保留音、起床時間を報知するためのモーニングメロディ等を、任意のメロディが発音されるように設定することができる。その設定の際には、曲データの属するグループがまず選択され、そのグループに属する曲データが選択されて行われる。そして、報知が行われる場合には、バックライトによるイルミネーションが行われ、利用者の遊び心を満足させることができる。このイルミネーションのパターンは、グループに対して１対１に対応付けられており、曲データに対しては多対１に対応されている。これにより、多数の曲データの中から利用者が任意の着信音等を設定する場合に、グループ名に基づいて容易に任意の曲データを選択することができ、それに伴って自動的に曲データに対応する色彩パターンを設定することができる。また、各曲データ毎に色彩パターンを対応付ける必要がないので、利用者の設定操作の手間を軽減させることができる。
【０１４０】
さらに、新たな曲データを公衆通信網を介して接続したサーバ５０からダウンロードして使用することができ、利用者が、親機１０の出荷時にあらかじめ登録された曲データに飽きた場合でも、その曲データの入れ替えを行うことで対処することができる。
【０１４１】
なお、本発明は各種の変形が可能なことはいうまでもない。例えば、ＥＥＰＲＯＭ１０５に設けた各テーブルをＲＯＭ１０２上に設け、各データの対応付けを変更不可として、対応付け変更のプログラムを搭載しないことによりコストの削減を図ってもよい。また、バックライトはバックライト発色パターンテーブル５４１に基づく所定の点滅パターンを繰り返し行うが、本例のように２パターンの繰り返しだけでなく、複数のパターンの組み合わせ等を行うようにしてもよい。また、利用者により任意の色彩パターンの設定をプログラム可能としてもよい。また、メロディに合わせて所定の点滅パターンを対応させるだけでなく、曲データに基づくメロディの発音時に、発音されるメロディの音階に対応付けた所定の点滅パターンによってイルミネーションを行ってもよい。また、ＬＣＤのバックライトによるイルミネーションだけでなく、各操作キーにＬＥＤを内蔵させ、イルミネーションを行ってもよい。また、ＬＣＤのバックライトによるイルミネーションだけでなく、多色表示可能なカラーＬＣＤの背景色によるイルミネーションを行ってもよい。本発明において、ＬＥＤはＬＣＤのバックライトの照明やイルミネーションを行う発光手段として用いたが、上記のように、親機１０および子機３０の筐体の任意の箇所に設けてもよく、ＬＣＤのバックライトとは独立に、イルミネーションを行う発光手段としてもよい。
【０１４２】
また、親機１０のファックス原稿の読み取りはＣＣＤで行ったが、ＣＩＳ（Ｃｏｎｔａｃｔ  Ｉｍａｇｅ  Ｓｅｎｓｏｒ）によって行ってもよい。また、親機１０と子機３０との通信は、無線でなくともよく、有線による通信であってもよい。また、通信端末装置としてファックス機能付き電話装置を一例としたが、携帯電話、ＰＨＳ、その他、無線通信機等、通信先の端末装置からの呼び出しによって通信を開始することができる端末装置であればよい。さらに、親機１０は、モデム１５６、ＮＣＵ１５７の代わりにネットワークインターフェースを使用してインターネットに接続し、ＶｏＩＰ（Ｖｏｉｃｅ  ｏｖｅｒ  ＩＰ）を利用したＩＰ電話機として使用してもよい。この場合、公知のウェブブラウザの機能を有することによって、インターネットを通じて曲データを記憶したサーバにアクセスし、曲データのダウンロードを行うことも可能である。
【０１４３】
また、親機１０および子機３０に、例えばＡＤＰＣＭ方式による音声のエンコードおよびデコードを行ってデジタルデータかするためのコーディックと、搬送波を、例えばＡＳＫ変調やＰＳＫ変調により変調することで、デジタルデータ化した音声を無線通信により送受信することが可能な無線通信部とをそれぞれ設けることで、親機１０および子機３０間で、デジタル方式による音声の送受信を行うとともに、親機１０および子機３０間でのデジタルデータの送受信を可能としてもよい。これにより、親機１０がサーバ５０からダウンロードした曲データを、子機３０が親機１０よりダウンロードすることを可能としてもよい。さらに、子機３０が親機１０のモデム１５６を利用し、公衆通信網を介してサーバ５０に接続することで、子機３０が直接サーバ５０より曲データのダウンロードを行うことを可能としてもよい。さらに、親機１０と子機３０との間で、曲データの所属するグループや色彩パターン等の情報データを転送し、親機１０の設定と子機３０の設定とを同期させること可能としてもよい。あるいは、親機１０が子機３０の管理を行うように、親機１０のＥＥＰＲＯＭ１０５に記憶された各テーブルを、子機３０の分についても記憶させるようにしてもよい。そして、報知音の設定を親機１０で行って作成した各テーブルを子機３０に転送して利用すれば、子機３０側にそれら設定を行うための手段を設けなくともよい。
【０１４４】
また、グループを、そのグループに属する曲データに基づくメロディのジャンル毎に作成することで、曲データの分別を利用者に容易に行わせるとともに、メロディ選択を行う際に、目的とする曲データに、そのメロディのジャンルから容易に特定できるようにしてもよい。さらに、グループを、曲データの管理者、例えば、親機１０を購入した家族の一人一人に分類し、それぞれ好みの曲データを選択する、またはダウンロードするなどして、曲データの管理を行うようにしてもよい。この構成では、管理者毎にバックライトの発光パターンが設定されることになり、例えば、管理者「父」のグループに複数の曲データが対応付けられて記憶され、かつ「父」用の発光パターンが記憶されていることから、管理者である父が自身のグループに含まれる曲データを自身の知り合いの電話番号からの着信があった場合の着信音として設定した場合、その知り合いからの着信時には、父が設定した曲データとともに、管理者「父」のグループに対応付けられている発光パターンでバックライトが点灯、あるいは点滅するため、バックライトの色や、パターンを見ることで、父宛の着信であることが確認できる。
【０１４５】
また、グループ名を任意に編集するためのグループ名編集機能を設けてもよい。例えば、上述したグループ選択画面を共用し、そこで選択したグループの名称を、操作キーからの入力に基づいて編集し、任意のグループ名に編集した後、グループ管理テーブル５３１の該当するグループ名文字列データ５３３の記憶エリアに上書き記憶させればよい。文字等の入力は、例えば、テンキー２３の「１」キーに「あ」行、「２」キーに「か」行などを対応させ、そのキーを連続して押した回数によって入力する文字を特定したり、方向キー２４を利用して、ＬＣＤ２１に表示させる文字を切り換えて選択させ、決定キー２５で入力する文字を特定するなど行えばよい。さらに、同様に、曲名を編集可能としてもよい。なお、グループ名を編集するための上記グループ名編集機能を実行するＣＰＵ１０１が、本発明における「分類情報編集手段」に相当する。
【０１４６】
また、本発明における「各種状態」とは、着信音、保留音、時刻報知音などの報知音を発音させる条件が発生した状態であり、その他に、通信端末装置にエラーが発生した場合や、子機３０と親機１０との間での呼び出しを行う場合や、時報としてメロディを鳴らす場合や、曲データに基づくメロディをＢＧＭとして発音させる場合なども含んでもよい。
【０１４７】
また、ＬＣＤ２１に曲名やグループ名を表示させるため、曲データ管理テーブル５１１やグループ管理テーブル５３１にそれぞれ文字列のデータを記憶させたが、これらの表示を特に行わず、曲番号または曲名と、グループ番号またはグループ名と、発色パターンとをそれぞれ対応付けた表を印刷部１３５より用紙上に印字出力させることにより、各情報の対応付けを管理してもよい。なお、上述したメロディ設定が行われる場合には、曲名を表示しなくとも再生されるメロディで曲データを特定でき、また、グループ名を表示させなくともバックライトの発色パターンによってグループの特定を行うことができる。
【０１４８】
また、グループ変更サブルーチン（図２７，図２８参照）にて、グループと曲データの対応付けの変更を行ったが、曲名を選択する手順に替えて、同様の手順にてバックライト発色パターンを選択する手順を設け、バックライト発色パターンの選択後にグループ名を選択する手順を実行することで、任意のグループ番号と、バックライト発色パターンとを対応付け、これに基づきグループ管理テーブル５３１（図１３参照）におけるグループ番号５３２とバックライト発色パターン番号５３４との対応付けを変更する発色パターン変更機能を設けてもよい。なお、上記発色パターン変更機能を実行するＣＰＵ１０１が、本発明における「色彩情報変更手段」に相当する。
【０１４９】
また、本実施の形態では、着信音や保留音の設定を行う場合に、先にグループの選択を行ったが、同様の手順で、バックライト発色パターンの選択を先に行わせ、その発色パターンに対応したグループより曲データの選択を行わせるようにしてもよい。この場合、図２４，図２５のメロディ選択サブルーチンにて、Ｓ１６３〜Ｓ１９２の処理で選択されるものを、グループ番号ではなくバックライト発色パターン番号とすればよい。この構成では、利用者は、希望するバックライトの発色パターンの選択を先に行うことで、特定の範囲内の曲データを抽出し、その中から任意の曲データの選択を行うことができる。これは、使用したい発色パターンが先に決まっている場合に有効である。なお、上記のようにＳ１６３〜Ｓ１９２の処理をバックライトの発色パターン番号を選択するための処理に置き換えた場合、Ｓ１９１の処理で決定キーが入力されることによりバックライト発色パターンを決定するＣＰＵ１０１が、本発明における「色彩情報選択手段」に相当する。
【０１５０】
また、曲データをダウンロードした場合、既存の曲データに上書きして保存したが、曲データ記憶エリア５５０を拡張して新たに記憶エリアを設けることで、曲データの数を増やしてもよい。この場合、各テーブルにおける曲番号の最大値を更新させることでダウンロードした曲データをグループやバックライト発色パターンに対応付けさせ、さらに、例えばグループ変更サブルーチン（図２７参照）などの判断処理において、分岐処理における判断基準である曲番カウンタの値の最大値を更新させることによって、曲データの増加に対応することができる。
【０１５１】
また、上記同様に、グループの数を増やしてもよい。この場合、増設したグループに対しては、新たにダウンロードした曲データを対応付けることや、他のグループに属していた曲データを移動させて対応付けることが考えられる。グループ管理テーブル５３１（図１３参照）や、バックライト発色パターンテーブル５４１（図１４参照）などのグループ番号の最大値を更新させることで、より多くのグループを作成でき、曲データが増加した場合でも、グループへの対応付けが容易となる。この場合、例えばメロディ選択サブルーチン（図２４参照）などの判断処理において、分岐処理における判断基準であるグループ番号カウンタの値の最大値を更新させることによって、グループの増加に対応することができる。この構成は、例えば、利用者が必要とする曲データのみを集めて、グループ名を付与してグループ化したいような場合に有効であり、曲データの管理が行いやすくなる。また、所望の発色パターンに対応付けて、所望の曲データをグループ化して、所望の発色パターンに対応付けることができる。なお、グループの数を増やすため、各テーブルのグループ番号の最大値の更新を行うＣＰＵ１０１が、本発明における「分類情報設定手段」に相当する。
【０１５２】
また、グループ登録テーブル５２１（図１２参照）を複数設けてもよい。例えば、第１のグループ登録テーブル５２１では、グループを曲データに基づくメロディのジャンルに基づいて分類し、第２のグループ登録テーブル５２１では、グループを曲データの管理者に基づいて分類し、第３のグループ登録テーブル５２１では、グループを曲データに基づくメロディのテンポに合わせて分類するなどして、複数備え、グループ登録テーブルの選択画面等を設けて任意のテーブルを選択させればよい。ＥＥＰＲＯＭ１０５に、選択されたグループ登録テーブル５２１にフラグを設け、そのフラグがＯＮとなったグループ登録テーブル５２１がプログラム等から参照されるようにすればよい。あるいは、プログラム等から参照されるグループ登録テーブル５２１は固定しておき、選択されたグループ登録テーブル５２１で、固定されたグループ登録テーブル５２１を上書きするようにしてもよい。また、これら複数設けたグループ登録テーブル５２１には、それぞれ曲データを重複させて記憶可能としてもよい。この構成では、利用者の好みに応じて、「ジャンル」や「管理者別」といった分類の他に、自由に分類を設定して、グループ登録テーブルを作成することができ、これらを保存しておけば、予め記憶されていたテーブル、あるいは新規に作成したテーブルを適宜切り換えて使用することが可能となる。また、予め記憶されていたテーブルの内容は保存されたままであるので、切り換えを頻繁に行った場合でも、テーブルをその都度作成し直し、曲データのグループ化の設定を行う必要がない。なお、上記複数のグループ登録テーブルの選択画面等を設けて任意のテーブルを選択させるＣＰＵ１０１が、本発明における「切換手段」に相当する。また、グループを曲データに基づくメロディのジャンルに基づいて分類された第１のグループ登録テーブル５２１が、本発明における「ジャンル別分類情報記憶手段」に相当し、グループを曲データの管理者に基づいて分類した第２のグループ登録テーブル５２１が、本発明における「管理者別分類情報記憶手段」に相当する。
【０１５３】
【発明の効果】
以上説明したように、請求項１に係る発明の報知装置では、発音手段から所定の音を発音させるための音情報を分類情報によってグループ分けし、そのグループ毎に異なる色彩で発光手段を点灯または点滅させることができる。従って、音情報を分類情報によってグループ化していることで、記憶されている音情報の中から所望とする音情報を選択する場合に、その分類情報に基づいて容易に選択することができる。また、音情報と色彩情報とを多対１に対応付けることができるので、音情報と発光情報とを個別に対応付けて記憶する場合に比べて、音情報の数が多数の場合にも管理が行いやすくなり、どの音情報にどの発光情報が対応付けられているのかの把握も容易になる。
【０１５４】
また、請求項２に係る発明の報知装置では、請求項１に係る発明の効果に加え、発光手段によって表示手段の照明を行うことができる。従って、報知音の発音とともに表示手段に表示される文字や画像を、発光手段により彩ることができる。
【０１５５】
また、請求項３に係る発明の報知装置では、請求項１または２に係る発明の効果に加え、音情報に対応する分類情報を、音情報に基づく音の属するジャンルによって分別することができる。従って、利用者は、ジャンルに基づいて所望の音情報を選択することができ、また、発光手段の点灯または点滅の色彩を、音情報に基づく音の属するジャンルによって異ならせることができる。
【０１５６】
また、請求項４に係る発明の報知装置では、請求項１または２に係る発明の効果に加え、音情報に対応する分類情報を、音情報に基づく音を管理する管理者にあわせて分別することができる。従って、利用者は、管理者に基づいて所望の音情報を選択することができ、また、発光手段の点灯または点滅の色彩を、音情報に基づく音を管理する管理者毎に異ならせることができる。
【０１５７】
また、請求項５に係る発明の通信端末装置では、着信時に鳴らす着信音と、保留時に鳴らす保留音と、時刻の報知時に鳴らす時刻報知音とのそれぞれを、任意に選択することができる。従って、利用者は、状況によって異なる音を発音させることができるので、その発音された音を聞くことによって状況を把握することができる。
【０１５８】
また、請求項６に係る発明の通信端末装置では、請求項５に係る発明の効果に加え、利用者は、発信者別に異なる音を発音させることができる。従って、利用者が音を聴けば、発信者が誰であるかを認識することができる。
【０１５９】
また、請求項７に係る発明の通信端末装置では、請求項５または６に係る発明の効果に加え、利用者は、音情報を選択することで、その音情報に対応した色彩で表示手段の点灯または点滅させることができる。従って、利用者は、音情報の選択を行うだけで、それに対応した発光手段の点灯または点滅の色彩を決定することができ、発音手段からの発音と、発光手段からの色彩の点灯または点滅とを関連付けることができる。
【０１６０】
また、請求項８に係る発明の通信端末装置では、請求項５または６に係る発明の効果に加え、利用者は、色彩情報を選択することで、その色彩情報に対応した分類情報に属する音情報から、任意の音情報を選択することができる。従って、利用者は、希望する色彩情報を選択することで、特定の範囲内の音情報から任意の音情報の選択を行うことができ、発光手段からの色彩の点灯または点滅と、発音手段からの発音とを関連付けることができる。これは、発光させたい色が先に決まっている場合に有効である。
【０１６１】
また、請求項９に係る発明の通信端末装置では、請求項７または８に係る発明の効果に加え、利用者が音情報の選択を行う場合に、選択する候補の音情報の中から指定された音情報に対応する色彩情報に基づいて、発光手段の点灯または点滅を行うことができる。従って、利用者が音情報を選択する際に、発光手段の点灯または点滅の色彩を確認しながら選択することができる。
【０１６２】
また、請求項１０に係る発明の通信端末装置では、請求項５乃至９のいずれかに係る発明の効果に加え、音情報と分類情報との対応付けを任意に変更することができる。従って、分類情報による音情報の分類を利用者の任意に変更することで、音情報の管理を容易に行うことができ、また、利用者の希望に応じた設定を実現できる。
【０１６３】
また、請求項１１に係る発明の通信端末装置では、請求項５乃至１０のいずれかに係る発明の効果に加え、分類情報と色彩情報との対応付けを任意に変更することができる。従って、利用者が分類情報と色彩情報との対応付けを任意に組み合わせることができ、利用者の好みに合わせた音情報と色彩情報との組み合わせを提供することができる。
【０１６４】
また、請求項１２に係る発明の通信端末装置では、請求項５乃至１１のいずれかに係る発明の効果に加え、発光制御手段はＬＥＤを、その発光色や発光パターンを組み合わせて点灯または点滅させることで、表示手段の照明を行うことができる。従って、利用者は、発光手段による報知に気付きやすく、また、その発光色や発光パターンの組み合わせによって、どのグループに属する音情報が発音手段より発音されているか知ることができる。
【０１６５】
また、請求項１３に係る発明の通信端末装置では、請求項５乃至１２のいずれかに係る発明の効果に加え、通信端末装置は音情報を受信して、音情報記憶手段に記憶させることができる。従って、利用者は、あらかじめ音情報記憶手段に記憶されている音情報以外の音情報を得ることができ、発音手段から利用者の好みの音情報を発音させることができる。
【０１６６】
また、請求項１４に係る発明の通信端末装置では、請求項１３に係る発明の効果に加え、新たに受信した音情報を、任意の分類情報に対応付けて記憶させることができる。従って、利用者は、新たに受信した音情報を分類情報によって管理することができ、その音情報を他の音情報と同じように取り扱うことができる。
【０１６７】
また、請求項１５に係る発明の通信端末装置では、請求項５乃至１４のいずれかに係る発明の効果に加え、分類情報の分類名を任意に編集することができる。従って、利用者の好みに合わせた分類名を分類情報に対応付けることができ、音情報の管理を容易に行うことができる。
【０１６８】
また、請求項１６に係る発明の通信端末装置では、請求項１０に係る発明の効果に加え、既存の分類情報に新たな分類情報を追加することができる。従って、利用者は、音情報の分類が多岐に渡った場合でも、各音情報を適した分類情報に対応付けることができ、音情報の管理を容易に行うことができる。
【０１６９】
また、請求項１７に係る発明の通信端末装置では、請求項５乃至１６のいずれかに係る発明の効果に加え、切換手段によって、複数の分類情報記憶手段の中から任意の分類情報記憶手段を選択することができる。従って、音情報と、分類情報とを任意に対応付けて記憶させた分類情報記憶手段を複数用意しておき、その中から所望のものに任意に切り換えることができ、音情報の管理を容易に行うことができる。また、既に記憶されている分類情報記憶手段の記憶内容を保持したままで、別の分類情報記憶手段を設け、それを使用することができる。
【０１７０】
また、請求項１８に係る発明の通信端末装置では、請求項１７に係る発明の効果に加え、分類情報記憶手段として、少なくともジャンル別分類情報記憶手段と管理者別分類情報記憶手段とを含めることができる。従って、利用者は、音情報のグループ分けを、少なくともジャンル別または管理者別に行うことができ、また、利用者の使いやすい方の分類情報記憶手段を選択して使用することができる。
【０１７１】
また、請求項１９に係る発明の通信端末装置では、請求項１７または１８に係る発明の効果に加え、音情報を、少なくとも２つの分類情報記憶手段のそれぞれの分類情報に対し、重複させることができる。従って、利用者は、異なる分類情報記憶手段に同じ音情報を設定することができ、利用者の利便性を図ることができる。また、同じ音情報を様々なグループ分けに使用することができ、記憶されている音情報を有効に使うことができる。
【図面の簡単な説明】
【図１】ファックス機能付き親子電話装置の親機１０と子機３０の外観を示す図である。
【図２】親機１０の操作パネル２０を示す図である。
【図３】子機３０の操作パネル４０を示す図である。
【図４】親機１０の電気的構成を示すブロック図である。
【図５】ＲＯＭ１０２の記憶エリアを示す概念図である。
【図６】ＲＡＭ１０３の記憶エリアを示す概念図である。
【図７】ＥＥＰＲＯＭ１０５の記憶エリアを示す概念図である。
【図８】子機３０の電気的構成を示すブロック図である。
【図９】サーバ５０の電気的構成を示すブロック図である。
【図１０】親機１０に設定される各情報と、それらの組み合わせの例を示す図である。
【図１１】ＥＥＰＲＯＭ１０５の曲データ管理テーブル記憶エリア５１０に記憶された曲データ管理テーブル５１１の概念図である。
【図１２】ＥＥＰＲＯＭ１０５のグループ登録テーブル記憶エリア５２０に記憶されたグループ登録テーブル５２１の概念図である。
【図１３】ＥＥＰＲＯＭ１０５のグループ管理テーブル記憶エリア５３０に記憶されたグループ管理テーブル５３１の概念図である。
【図１４】ＥＥＰＲＯＭ１０５のバックライト発色パターンテーブル記憶エリア５４０に記憶されたバックライト発色パターンテーブル５４１の概念図である。
【図１５】ＥＥＰＲＯＭ１０５の報知音設定テーブル記憶エリア５６０に記憶された報知音設定テーブル５６１の概念図である。
【図１６】ＥＥＰＲＯＭ１０５の発信者番号情報テーブル記憶エリア５７０に記憶された発信者番号情報テーブル５７１の概念図である。
【図１７】親機１０の非操作時にＬＣＤ２１に表示される時刻表示の一例を示す図である。
【図１８】メロディ設定が行われる場合にＬＣＤ２１に表示されるメロディ設定画面の一例を示す図である。
【図１９】利用者が着信音の選択を行う場合にＬＣＤ２１に表示されるグループ選択画面の一例を示す図である。
【図２０】ＲＡＭ１０３のグループ番号関連テーブル記憶エリア４１０に記憶されるグループ番号関連テーブル４１１の概念図である。
【図２１】ＲＡＭ１０３のグループ曲数テーブル記憶エリア４２０に記憶されるグループ曲数テーブル４２１の概念図である。
【図２２】親機１０で実行される報知音の設定を行うメロディ設定プログラムのフローチャートである。
【図２３】
親機１０で実行される報知音の設定を行うメロディ設定プログラムのフローチャ
ートである。
【図２４】
親機１０で実行されるメロディ設定プログラムからコールされるメロディ選択サ
ブルーチンのフローチャートである。
【図２５】
親機１０で実行されるメロディ設定プログラムからコールされるメロディ選択サ
ブルーチンのフローチャートである。
【図２６】
親機１０で実行されるメロディ選択サブルーチンからコールされるグループ番号
関連テーブル作成サブルーチンのフローチャートである。
【図２７】
親機１０で実行されるメロディ設定プログラムからコールされるグループ変更サ
ブルーチンのフローチャートである。
【図２８】
親機１０で実行されるメロディ設定プログラムからコールされるグループ変更サ
ブルーチンのフローチャートである。
【図２９】
親機１０の着信待ち受け時に実行される着信音鳴動プログラムのフローチャート
である。
【図３０】
親機１０に設定される各情報と、それらの組み合わせの更新例を示す図である。
【図３１】
グループ登録テーブル５２１のレコードの更新例を示す概念図である。
【図３２】
着信音の設定時におけるグループ選択画面の表示の一例を示す図である。
【図３３】
着信音の設定時におけるグループ選択画面の表示の一例を示す図である。
【図３４】着信音の設定時におけるメロディ選択画面の表示の一例を示す図である。
【図３５】着信音の設定時におけるメロディ選択画面の表示の一例を示す図である。
【図３６】着信音の設定の登録が完了した場合に表示される画面の一例を示す図である。
【図３７】着信音の設定が終了した場合に表示される時刻表示の一例を示す図である。
【図３８】グループ変更時におけるメロディ選択画面の表示の一例を示す図である。
【図３９】グループ変更時におけるメロディ選択画面の表示の一例を示す図である。
【図４０】グループ変更時におけるメロディ選択画面の表示の一例を示す図である。
【図４１】グループ変更時におけるグループ選択画面の表示の一例を示す図である。
【図４２】グループ変更時におけるグループ選択画面の表示の一例を示す図である。
【図４３】グループ変更時におけるグループ選択画面の表示の一例を示す図である。
【図４４】グループ変更が完了した場合に表示される画面の一例を示す図である。
【図４５】グループ変更が終了した場合に表示される時刻表示の一例を示す図である。
【図４６】親機１０が曲データのダウンロードを行うためのプログラムのフローチャートである。
【図４７】サーバ５０が、親機１０からの接続を待ち受けて、接続時に曲データのダウンロードを行わせるプログラムのフローチャートである。
【符号の説明】
１０  親機
２１  ＬＣＤ
１０１  ＣＰＵ
１４１  ＬＥＤ駆動部
１４２  ＬＥＤ
１５１  スピーカ駆動部
１５２  スピーカ
５２１  グループ登録テーブル
５３１  グループ管理テーブル
５４１  バックライト発色パターンテーブル
５４３  バックライト発色パターン
５５０  曲データ記憶エリア
５６１  報知音設定テーブル
【図１】
2004214972.tif 000003
【図２】
2004214972.tif 000004
【図３】
2004214972.tif 000005
【図４】
2004214972.tif 000006
【図５】
2004214972.tif 000007
【図６】
2004214972.tif 000008
【図７】
2004214972.tif 000009
【図８】
2004214972.tif 000010
【図９】
2004214972.tif 000011
【図１０】
2004214972.tif 000012
【図１１】
2004214972.tif 000013
【図１２】
2004214972.tif 000014
【図１３】
2004214972.tif 000015
【図１４】
2004214972.tif 000016
【図１５】
2004214972.tif 000017
【図１６】
2004214972.tif 000018
【図１７】
2004214972.tif 000019
【図１８】
2004214972.tif 000020
【図１９】
2004214972.tif 000021
【図２０】
2004214972.tif 000022
【図２１】
2004214972.tif 000023
【図２２】
2004214972.tif 000024
【図２３】
2004214972.tif 000025
【図２４】
2004214972.tif 000026
【図２５】
2004214972.tif 000027
【図２６】
2004214972.tif 000028
【図２７】
2004214972.tif 000029
【図２８】
2004214972.tif 000030
【図２９】
2004214972.tif 000031
【図３０】
2004214972.tif 000032
【図３１】
2004214972.tif 000033
【図３２】
2004214972.tif 000034
【図３３】
2004214972.tif 000035
【図３４】
2004214972.tif 000036
【図３５】
2004214972.tif 000037
【図３６】
2004214972.tif 000038
【図３７】
2004214972.tif 000039
【図３８】
2004214972.tif 000040
【図３９】
2004214972.tif 000041
【図４０】
2004214972.tif 000042
【図４１】
2004214972.tif 000043
【図４２】
2004214972.tif 000044
【図４３】
2004214972.tif 000045
【図４４】
2004214972.tif 000046
【図４５】
2004214972.tif 000047
【図４６】
2004214972.tif 000048
【図４７】
2004214972.tif 000049